(57)【要約】【課題】本発明は、検出されたジェスチャーに応じて少なくとも１つのオブジェクトを変換し、該オブジェクトに対する変換が終了することを感知すると、終了効果を表示するモバイル装置の制御方法を提供する。【解決手段】本発明に係わる終了効果を表示するモバイル装置の制御方法は、少なくとも１つのオブジェクトをタッチスクリーン上の第１のレイヤーに表示するステップと、該オブジェクトを変換する第１のジェスチャーに応じて該オブジェクトを変換するステップと、該オブジェクトに対する変換が終了することを感知するステップと、変換されるべき該オブジェクトがこれ以上存在しないというメッセージ及び／又は追加情報を示す終了効果を前記タッチスクリーン上に表示するステップと、を有する。【選択図】図４
2014110056.tif 000002
【特許請求の範囲】
【請求項１】
終了効果を表示するモバイル装置の制御方法であって、
少なくとも１つのオブジェクトをタッチスクリーン上の第１のレイヤーに表示するステップと、
前記少なくとも１つのオブジェクトを変換する第１のジェスチャーに応じて前記少なくとも１つのオブジェクトを変換するステップと、
前記少なくとも１つのオブジェクトに対する変換が終了することを感知するステップと、
変換されるべき前記少なくとも１つのオブジェクトがこれ以上存在しないというメッセージ及び／又は追加情報を示す終了効果を前記タッチスクリーン上に表示するステップと、
を有することを特徴とする終了効果を表示するモバイル装置の制御方法。
【請求項２】
前記終了効果は、前記タッチスクリーン上の第２のレイヤーに表示されることを特徴とする請求項１に記載の終了効果を表示するモバイル装置の制御方法。
【請求項３】
前記第２のレイヤーは、半透明ウィンドウ又は不透明ウィンドウであることを特徴とする請求項２に記載の終了効果を表示するモバイル装置の制御方法。
【請求項４】
前記終了効果を前記タッチスクリーンから除去するステップと、
前記少なくとも１つのオブジェクトを変換するユーザによる第２のジェスチャーを検出するステップと、
前記終了効果を前記タッチスクリーン上に表示するステップと
をさらに有することを特徴とする請求項１に記載の終了効果を表示するモバイル装置の制御方法。
【請求項５】
前記少なくとも１つのオブジェクトは、ウェブページ、連絡先、イメージ、テキスト、ビデオ、オーディオ、アイコン、項目、タブ、又はこれらの組合せで形成されることを特徴とする請求項１に記載の終了効果を表示するモバイル装置の制御方法。
【請求項６】
前記変換は、スクロール、拡大、及び縮小のうちの何れか１つであることを特徴とする請求項１に記載の終了効果を表示するモバイル装置の制御方法。
【請求項７】
前記終了効果は、変換されるべき前記少なくとも１つのオブジェクトがこれ以上存在しない領域に表示されることを特徴とする請求項１に記載の終了効果を表示するモバイル装置の制御方法。
【請求項８】
前記終了効果は、変換されるべき前記少なくとも１つのオブジェクトがこれ以上存在しない領域にボックスタイプで表示されることを特徴とする請求項１に記載の終了効果を表示するモバイル装置の制御方法。
【請求項９】
前記追加情報は、現在実行中であるアプリケーションと関連した情報、モバイル装置の現在の状態と関連した情報、及び暗記用コンテンツのうちの少なくとも一つを含むことを特徴とする請求項１に記載の終了効果を表示するモバイル装置の制御方法。
【請求項１０】
前記終了効果は、前記検出された第１のジェスチャーの長さが予め定められた長さより長い場合に応じて表示されることを特徴とする請求項１に記載の終了効果を表示するモバイル装置の制御方法。
【請求項１１】
前記終了効果は、変換効果であることを特徴とする請求項１に記載の終了効果を表示するモバイル装置の制御方法。
【請求項１２】
前記変換効果は、前記メッセージ及び／又は前記追加情報に振動効果又は歪み効果を付与することを特徴とする請求項１１に記載の終了効果を表示するモバイル装置の制御方法。
【請求項１３】
終了効果を表示するモバイル装置であって、
少なくとも１つのオブジェクトを第１のレイヤーに表示するタッチスクリーンと、
前記少なくとも１つのオブジェクトを変換する第１のジェスチャーに応じて前記少なくとも１つのオブジェクトを変換し、前記少なくとも１つのオブジェクトに対する変換が終了することを感知し、変換されるべき前記少なくとも１つのオブジェクトがこれ以上存在しないというメッセージ及び／又は追加情報を示す終了効果を前記タッチスクリーン上に表示する制御部と、
を有することを特徴とする終了効果を表示するモバイル装置。
【請求項１４】
前記終了効果は、前記タッチスクリーン上の第２のレイヤーに表示されることを特徴とする請求項１３に記載の終了効果を表示するモバイル装置。
【請求項１５】
前記制御部は、前記終了効果を前記タッチスクリーンから除去し、前記少なくとも１つのオブジェクトを変換するユーザによる第２のジェスチャーを検出し、前記終了効果を前記タッチスクリーン上に表示することを特徴とする請求項１３に記載の終了効果を表示するモバイル装置。
【発明の詳細な説明】
【技術分野】
【０００１】
本発明は、モバイル装置及びその制御方法に係り、特に、オブジェクトに対する変換が終了する時に終了効果を表示するモバイル装置及びその制御方法に関する。
【背景技術】
【０００２】
最近では、モバイル装置に関連した技術が急速に発展している。特に、タッチスクリーンがモバイル装置に含まれるにつれて、このタッチスクリーンを通じたユーザインターフェースに関連した技術も急速に発展している。
【０００３】
このタッチスクリーンを使用するユーザインターフェースは、ユーザからのタッチを検出し、これにより、様々な入力を受信することにより様々な機能を実行する方式に係わる。
【０００４】
この時、モバイル装置においては、様々なアプリケーションが実行され、このアプリケーションの実行を通じてタッチスクリーン上には様々なオブジェクトが表示される。また、モバイル装置は、ユーザのタッチを検出することによりこのオブジェクトを変換できる。例えば、モバイル装置においてウェブブラウザーアプリケーションが実行され、モバイル装置のタッチスクリーン上にウェブページが表示される。さらに、モバイル装置は、ユーザのタッチを検出することによりウェブページをスクロールし移動できる。
【０００５】
しかしながら、モバイル装置がウェブページをスクロールし移動する時に、これ以上スクロールするべきウェブページが存在しない場合がある。これ以上スクロールするべきウェブページが存在しない場合には、別途の効果が提供されない限り、これ以上ウェブページをスクロールできないという事実にユーザが気づかない場合が発生する。
【０００６】
従って、モバイル装置のタッチスクリーン上に表示された様々なオブジェクトに対する変換が終了する場合に、例えば、ウェブページに対するスクロールが終了する場合に、別途の効果を提供する技術が要求される。
【先行技術文献】
【特許文献】
【０００７】
【特許文献１】米国特許公開第２００８−０１６８４０４号
【発明の概要】
【発明が解決しようとする課題】
【０００８】
従って、本発明は、上述した従来技術の問題点を解決するために提案されたものであり、その目的は、検出されたジェスチャーに応じて少なくとも１つのオブジェクトを変換し、この少なくとも１つのオブジェクトに対する変換が終了することを感知し、終了効果をタッチスクリーン上に表示する、終了効果を表示するモバイル装置及びその制御方法を提供することにある。
【０００９】
本発明の他の目的は、終了効果が除去された後にさらに検出されたジェスチャーに応じて終了効果を再表示する、終了効果を表示するモバイル装置及びその制御方法を提供することにある。
【課題を解決するための手段】
【００１０】
上記のような目的を達成するために、本発明の一態様によれば、終了効果を表示するモバイル装置の制御方法は、少なくとも１つのオブジェクトをタッチスクリーン上の第１のレイヤーに表示するステップと、上記少なくとも１つのオブジェクトを変換するユーザによる第１のジェスチャーに応じて上記少なくとも１つのオブジェクトを変換するステップと、上記少なくとも１つのオブジェクトに対する変換が終了することを感知するステップと、変換されるべき上記少なくとも１つのオブジェクトがこれ以上存在しないというメッセージ及び／又は追加情報を示す終了効果を上記タッチスクリーン上に表示するステップと、を有することを特徴とする。
【００１１】
本発明の他の態様によれば、終了効果を表示するモバイル装置は、少なくとも１つのオブジェクトを第１のレイヤーに表示するタッチスクリーンと、上記少なくとも１つのオブジェクトを変換する第１のジェスチャーに応じて上記少なくとも１つのオブジェクトを変換し、上記少なくとも１つのオブジェクトに対する変換が終了することを感知し、変換されるべき上記少なくとも１つのオブジェクトがこれ以上存在しないというメッセージ及び／又は追加情報を示す終了効果を上記タッチスクリーン上に表示する制御部と、を有することを特徴とする。
【発明の効果】
【００１２】
本発明の一実施形態によると、変換されるべき少なくとも１つのオブジェクトがこれ以上存在しないというメッセージを表示することにより、少なくとも１つのオブジェクトに対する変換が終了したことを直観的にユーザに通知できるという利点がある。
【００１３】
本発明の一実施形態によると、終了効果が第２のレイヤーに表示できるという利点がある。また、終了効果は、半透明ウィンドウ又は不透明ウィンドウで形成された第２のレイヤーに表示できるという利点がある。
【００１４】
本発明の一実施形態によると、変換されるべき少なくとも１つのオブジェクトがこれ以上存在しない領域に終了効果を表示することにより、少なくとも１つのオブジェクトがこれ以上存在しない領域をユーザに通知できるという利点がある。
【００１５】
本発明の一実施形態によると、追加情報を含む終了効果を表示することにより、少なくとも１つのオブジェクトに対する変換が終了したことを直観的にユーザに通知できるだけでなく、同時に追加情報も通知できるという利点がある。
【００１６】
本発明の一実施形態によると、追加情報を含む終了効果を表示することにより、現在実行中であるアプリケーションと関連した情報、モバイル装置の現在の状態と関連した情報、又は暗記用コンテンツをユーザに提供できるという利点がある。
【００１７】
本発明の一実施形態によると、検出されたジェスチャーの長さが予め定められた長さより長い場合に応じて終了効果が表示されることにより、少なくとも１つのオブジェクトに対する変換が終了したことを付加的にユーザに通知することができるという利点がある。
【００１８】
本発明の一実施形態によると、変換効果を有する終了効果を表示することにより、少なくとも１つのオブジェクトに対する変換が終了したことを付加的にユーザに通知することができるという利点がある。
【００１９】
本発明の一実施形態によると、終了効果が除去された後にさらに検出されたジェスチャーに応じて終了効果を再表示することにより、少なくとも１つのオブジェクトに対する変換が終了したことを再度ユーザに付加的に通知できるという利点がある。
【００２０】
本発明の実施形態の上述した及び他の様相、特徴、及び利点は、以下の添付図面が併用された後述の詳細な説明から、より一層明らかになるだろう。
【図面の簡単な説明】
【００２１】
【図１】本発明の実施形態に係わるモバイル装置の構成を示す概略的なブロック図である。
【図２】本発明の実施形態に係わるモバイル装置の前面斜視図である。
【図３】本発明の実施形態に係わるモバイル装置の後面斜視図である。
【図４】本発明の第１の実施形態による終了効果を表示するモバイル装置の制御方法を示すフローチャートである。
【図５】（Ａ）（Ｂ）（Ｃ）（Ｄ）は、本発明の一実施形態の第１実施例による終了効果を表示するための第１乃至第４の場面を順次示す図である。
【図６】（Ａ）（Ｂ）（Ｃ）（Ｄ）は、本発明の一実施形態の第２実施例による終了効果を表示するための第１乃至第４の場面を順次示す図である。
【図７】（Ａ）（Ｂ）（Ｃ）は、本発明の一実施形態の第３実施例による終了効果を表示するための第１乃至第３の場面を順次示す図である。
【図８】（Ａ）（Ｂ）は、本発明の一実施形態の第３実施例による終了効果を表示するための第４及び第５の場面を順次示す図である。
【図９】本発明の他の実施形態による終了効果を表示するモバイル装置の制御方法を示すフローチャートである。
【図１０】（Ａ）（Ｂ）（Ｃ）は、本発明の他の実施形態の第１実施例による終了効果を表示するための第１乃至第３の場面を順次示す図である。
【図１１】（Ａ）（Ｂ）（Ｃ）は、本発明の他の実施形態の第１実施例による終了効果を表示するための第４乃至第６の場面を順次示す図である。
【図１２】（Ａ）（Ｂ）（Ｃ）は、本発明の他の実施形態の第１の具体例に従う終了効果を表示するための第１乃至第３の場面を順次示す図である。
【図１３】（Ａ）（Ｂ）は、本発明の他の実施形態の第１の具体例に従う終了効果を表示するための第４及び第５の場面を順次示す図である。
【図１４】（Ａ）（Ｂ）（Ｃ）は、本発明の他の実施形態の第２の具体例に従う終了効果を表示するための第１乃至第３の場面を順次示す図である。
【図１５】（Ａ）（Ｂ）（Ｃ）は、本発明の他の実施形態の第２の具体例に従う終了効果を表示するための第４乃至第６の場面を順次示す図である。
【図１６】（Ａ）（Ｂ）（Ｃ）は、本発明の他の実施形態の第３の具体例に従う終了効果を表示するための第１乃至第３の場面を順次示す図である。
【図１７】（Ａ）（Ｂ）は、本発明の他の実施形態の第３の具体例に従う終了効果を表示するための第４及び第５の場面を順次示す図である。
【図１８】（Ａ）（Ｂ）（Ｃ）は、本発明の一実施形態の第４の例に従う終了効果を表示するための第１乃至第３の場面を順次示す図である。
【図１９】（Ａ）（Ｂ）（Ｃ）は、本発明の一実施形態の第５の例に従う終了効果を表示するための第４乃至第６の場面を順次示す図である。
【図２０】（Ａ）（Ｂ）（Ｃ）は、本発明の一実施形態の第６の例に従う終了効果を表示するための第１乃至第３の場面を順次示す図である。
【図２１】（Ａ）（Ｂ）（Ｃ）は、本発明の一実施形態の第７の例に従う終了効果を表示するための第４乃至第６の場面を順次示す図である。
【図２２】（Ａ）（Ｂ）（Ｃ）は、本発明の一実施形態の第８の例に従う終了効果を表示するための第１乃至第３の場面を順次示す図である。
【図２３】（Ａ）（Ｂ）（Ｃ）は、本発明の実施形態の第９の例に従う終了効果を表示するための第１乃至第３の場面を順次示す図である。
【発明を実施するための形態】
【００２２】
図面中、同一の図面参照符号が同一の構成要素、特性、又は構造を意味することは、容易に理解できるであろう。
【００２３】
添付の図面を参照した下記の説明は、特許請求の範囲の記載及びこれと均等なものの範囲内で定められるような本発明の実施形態の包括的な理解を助けるために提供され、この理解を助けるための様々な特定の詳細を含むが、唯一つの実施形態にすぎない。従って、本発明の範囲及び趣旨を逸脱することなく、ここに説明した実施形態の様々な変更及び修正が可能であるということは、当該技術分野における通常の知識を有する者には明らかであろう。また明瞭性と簡潔性の観点から、当業者に良く知られている機能や構成に関する具体的な説明を省略する。
【００２４】
次の説明及び請求項に使用する用語及び単語は、辞典的意味に限定されるものではなく、本発明の理解を明確且つ一貫性があるようにするために使用される。従って、本発明の実施形態の説明が単に実例を提供するためのものであって、特許請求の範囲とこれと均等なものに基づいて定義される発明をさらに限定する目的で提供されるものでないことは、本発明の技術分野における通常の知識を持つ者には明らかであろう。
【００２５】
本願明細書に記載の各要素は、文脈中に特に明示しない限り、複数形を含むことは、当業者には理解できるであろう。従って、例えば、“コンポーネント表面（ａ  ｃｏｍｐｏｎｅｎｔ  ｓｕｒｆａｃｅ）”との記載は、１つ又は複数の表面を含む。
本発明は、様々な変更を加え得、様々な実施形態を有し得るので、図面を参照して特定の実施形態を詳細に説明する。しかしながら、この説明は本発明を特定の実施形態に限定するのではなく、本発明の特許請求の権利範囲は本発明の思想及び技術範囲に含まれる全ての変更、均等物、及び置き換え物を含むものと理解されなければならない。
【００２６】
“第１”及び“第２”などの序数を含む用語が様々な構成要素を説明するために使用されるが、これらの構成要素は、この用語により限定されない。この用語は、１つの構成要素を他の構成要素と区別するためにだけ使用される。例えば、本発明の権利範囲を逸脱することなく、第１の構成要素は、第２の構成要素と呼ばれてもよく、同様に、第２の構成要素は第１の構成要素と呼ばれてもよい。ここで使用される用語“及び／又は”は、複数の関連した記載された項目の組合せ又は複数の関連して記載された項目のうちの何れかの項目を含む。
【００２７】
ここで使用する用語は、特定の実施形態だけを説明するためのもので、本発明を限定するものではない。ここで使用するように、単数の表現は、文脈上明白に異なることを必要としない限り複数の表現を含む。本明細書で使用されている“含む”及び“有する”などのような用語は、明細書上に記載された特徴、数字、ステップ、動作、構成要素、部分、又はこれらの組合せの存在を指定するものであって、１つ又はそれ以上の他の特徴、数字、ステップ、動作、構成要素、部品、又はこれらの組合せの存在又は付加の可能性を予め排除しないものと理解されるべきである。
【００２８】
或る用語が異なって定義されない限り、技術的であるか又は科学的な用語を含めてここで使用される全ての用語は、本発明が属する技術分野における通常の知識を有する者により一般的に理解されるものと同一の意味を有している。一般的に使用される予め定義されているような用語は、関連技術の文脈上有する意味と一致する意味を有するものと解釈されなければならず、本出願で明白に定義しない限り、理想的であるか又は過度に形式的な意味であると解釈されない。
【００２９】
図１は、本発明の実施形態に係わるモバイル装置の構成を示す概略的なブロック図である。
【００３０】
図１を参照すると、モバイル装置１００は、サブ通信モジュール１３０、コネクタ１６５、及びイヤホン接続ジャック１６７などの外部装置接続部を用いて外部装置（図示せず）と接続される。“外部装置”は、モバイル装置１００から分離され、モバイル装置１００に有線で接続可能なイヤホン（Ｅａｒｐｈｏｎｅ）、外部スピーカ（Ｅｘｔｅｒｎａｌ  ｓｐｅａｋｅｒ）、ユニバーサルシリアルバス（Ｕｎｉｖｅｒｓａｌ  Ｓｅｒｉａｌ  Ｂｕｓ、ＵＳＢ）メモリ、充電器、クレードル（Ｃｒａｄｌｅ）、ドッキングステーション（Ｄｏｃｋｉｎｇ  ｓｔａｔｉｏｎ）、ディジタルマルチメディアブロードキャスティング（ＤＭＢ）アンテナ装置、モバイル決済関連装置、健康管理装置（例えば、血糖テスター）、ゲーム機、及び車両ナビゲーションシステムのような様々な装置を含み得る。また、“外部装置”は、近距離通信を通じて無線でモバイル装置１００に接続できるブルートゥース（Ｂｌｕｅｔｏｏｔｈ、ＢＴ）（登録商標）通信装置、近距離無線通信（Ｎｅａｒ  Ｆｉｅｌｄ  Ｃｏｍｍｕｎｉｃａｔｉｏｎ、ＮＦＣ）装置のような近距離通信装置、ＷｉＦｉ−Ｄｉｒｅｃｔ通信装置、及び無線アクセスポイント（Ａｃｃｅｓｓ  Ｐｏｉｎｔ、ＡＰ）を含み得る。さらに、外部装置は、携帯電話、スマートフォン、タブレットパーソナルコンピュータ（ＰＣ）、デスクトップＰＣ、及びサーバのような他の装置を含み得る。
【００３１】
図１を参照すると、モバイル装置１００は、表示部１９０及びディスプレーコントローラ１９５を含む。また、モバイル装置１００は、制御部１１０、移動通信モジュール１２０、サブ通信モジュール１３０、マルチメディアモジュール１４０、カメラモジュール１５０、ＧＰＳモジュール１５５、入出力モジュール１６０、センサモジュール１７０、記憶部１７５、及び電源供給部１８０を含む。サブ通信モジュール１３０は、無線ローカルエリアネットワーク（ＬＡＮ）モジュール１３１及び近距離通信モジュール１３２のうちの少なくとも１つを含み、マルチメディアモジュール１４０は、ブロードキャスティング通信モジュール１４１、オーディオ再生モジュール１４２、及び動映像再生モジュール１４３のうちの少なくとも１つを含む。カメラモジュール１５０は、第１のカメラ１５１及び第２のカメラ１５２のうちの少なくとも１つを含み、入出力モジュール１６０は、ボタン１６１、マイクロフォン１６２、スピーカ１６３、振動モータ１６４、コネクタ１６５、キーパッド１６６、及びイヤホン接続ジャック１６７のうちの少なくとも１つを含む。以下では、表示部１９０及びディスプレーコントローラ１９５が各々タッチスクリーン及びタッチスクリーンコントローラである場合を例に挙げて説明する。
【００３２】
制御部１１０は、中央処理部（ＣＰＵ）１１１、モバイル装置１００の制御のための制御プログラムが記憶された読出し専用メモリ（ＲＯＭ１１２）、及びモバイル装置１００の外部から入力される信号又はデータを記憶するか、又はモバイル装置１００で実行される動作のための記憶領域として使用されるランダムアクセスメモリ（ＲＡＭ）１１３を含む。ＣＰＵ１１１は、シングルコア、デュアルコア、トリプルコア、又はクワドコアの何れかを含み得る。ＣＰＵ１１１、ＲＯＭ１１２、及びＲＡＭ１１３は、内部バスを通じて相互に接続される。
【００３３】
制御部１１０は、移動通信モジュール１２０、サブ通信モジュール１３０、マルチメディアモジュール１４０、カメラモジュール１５０、ＧＰＳモジュール１５５、入出力モジュール１６０、センサモジュール１７０、記憶部１７５、電源供給部１８０、タッチスクリーン１９０、及びタッチスクリーンコントローラ１９５を制御する。
【００３４】
移動通信モジュール１２０は、制御部１１０の制御に従って１つ又はそれ以上のアンテナ（図示せず）を用いて移動通信を通じて、モバイル装置１００の外部装置への接続を可能にする。移動通信モジュール１２０は、モバイル装置１００に入力される電話番号を有する携帯電話（図示せず）、スマートフォン（図示せず）、タブレットＰＣ、又は他の装置（図示せず）と音声通話、画像通話、文字メッセージ（即ち、短文メッセージサービス（ＳＭＳ）メッセージ）又はマルチメディアメッセージ（即ち、マルチメディアメッセージングサービス（ＭＭＳ）メッセージ）のための無線信号を送受信する。
【００３５】
サブ通信モジュール１３０は、無線ＬＡＮモジュール１３１及び近距離通信モジュール１３２のうちの少なくとも１つを含む。即ち、サブ通信モジュール１３０は、無線ＬＡＮモジュール１３１だけを含むか、近距離通信モジュール１３２だけを含むか、又は無線ＬＡＮモジュール１３１及び近距離通信モジュール１３２の双方を含む。
【００３６】
無線ＬＡＮモジュール１３１は、制御部１１０の制御に従って無線ＡＰ（アクセスポイント）（図示せず）が設置された場所でインターネットに接続される。無線ＬＡＮモジュール１３１は、米国電機電子学会（ＩＥＥＥ）の無線ＬＡＮ標準（ＩＥＥＥ８０２．１１ｘ）をサポートする。近距離通信モジュール１３２は、制御部１１０の制御に従ってモバイル装置１００と例えば画像形成装置（図示せず）との間の無線近距離通信を実行する。近距離通信方式は、例えば、ブルートゥース（登録商標）、赤外線データ協会（Ｉｎｆｒａｒｅｄ  Ｄａｔａ  Ａｓｓｏｃｉａｔｉｏｎ、ＩｒＤＡ）通信（登録商標）、ＷｉＦｉ−Ｄｉｒｅｃｔ（登録商標）通信、及びＮＦＣの何れかである。
【００３７】
モバイル装置１００の性能に合わせて、モバイル装置１００は、移動通信モジュール１２０、無線ＬＡＮモジュール１３１、及び近距離通信モジュール１３２のうちの少なくとも１つを含む。例えば、モバイル装置１００は、その性能に従って、移動通信モジュール１２０、無線ＬＡＮモジュール１３１、及び近距離通信モジュール１３２の組合せを含み得る。
【００３８】
マルチメディアモジュール１４０は、ブロードキャスティング通信モジュール１４１、オーディオ再生モジュール１４２、又は動映像再生モジュール１４３を含む。ブロードキャスティング通信モジュール１４１は、制御部１１０の制御に従ってブロードキャスティング通信アンテナ（図示せず）を通じて放送局から送信されるブロードキャスティング信号（例えば、テレビジョン（ＴＶ）ブロードキャスティング信号、ラジオブロードキャスティング信号、又はデータブロードキャスティング信号）又はブロードキャスティング付加情報（例えば、電気プログラムガイド（Ｅｌｅｃｔｒｉｃ  Ｐｒｏｇｒａｍ  Ｇｕｉｄｅ、ＥＰＧ）又は電気サービスガイド（Ｅｌｅｃｔｒｉｃ  Ｓｅｒｖｉｃｅ  Ｇｕｉｄｅ、ＥＳＧ））を受信する。オーディオ再生モジュール１４２は、制御部１１０の制御に従って記憶されるか又は受信されるディジタルオーディオファイル（例えば、ファイル拡張子がｍｐ３、ｗｍａ、ｏｇｇ、又はｗａｖであるファイル）を再生する。動映像再生モジュール１４３は、制御部１１０の制御に従って記憶されるか又は受信されるディジタル動映像ファイルを再生する。動映像再生モジュール１４３は、ディジタルオーディオファイルも再生する。
【００３９】
マルチメディアモジュール１４０は、ブロードキャスティング通信モジュール１４１に加えてオーディオ再生モジュール１４２及び動映像再生モジュール１４３を含む。また、マルチメディアモジュール１４０のオーディオ再生モジュール１４２又は動映像再生モジュール１４３は、制御部１１０に含まれ得る。
【００４０】
カメラモジュール１５０は、制御部１１０の制御に従って静止映像又は動映像を撮影する第１のカメラ１５１及び第２のカメラ１５２のうちの少なくとも１つを含む。また、第１のカメラ１５１又は第２のカメラ１５２は、撮影に必要とされる光量を提供する補助光源（例えば、フラッシュ（図示せず））を含む。第１のカメラ１５１は、モバイル装置１００の前面に配置され、第２のカメラ１５２は、モバイル装置１００の後面に配置される。あるいは、第１のカメラ１５１及び第２のカメラ１５２は、相互に隣接するように（例えば、第１のカメラ１５１と第２のカメラ１５２との間の距離が１ｃｍ乃至８ｃｍで）配置されることにより３次元静止映像又は３次元動映像を撮影できる。
【００４１】
ＧＰＳモジュール１５５は、地球の軌道を周回する複数のＧＰＳ衛星（図示せず）から電波を受信し、該ＧＰＳ衛星からモバイル装置１００まで電波到達時間（Ｔｉｍｅ  ｏｆ  Ａｒｒｉｖａｌ）を用いて装置の位置を計算する。
【００４２】
入出力モジュール１６０は、少なくとも１つのボタン１６１、マイクロフォン１６２、スピーカ１６３、振動モータ１６４、コネクタ１６５、及びキーパッド１６６のうちの少なくとも１つを含む。
【００４３】
少なくとも１つのボタン１６１は、モバイル装置１００のハウジングの前面、側面、又は後面に形成され、電源／ロックボタン、ボリュームボタン、メニューボタン、ホームボタン、バックボタン、及び検索ボタンのうちの少なくとも１つを含む。
【００４４】
マイクロフォン１６２は、制御部１１０の制御に従って音声又はサウンドの入力を受信することにより電気的信号を生成する。
【００４５】
スピーカ１６３は、制御部１１０の制御に従って移動通信モジュール１２０、サブ通信モジュール１３０、マルチメディアモジュール１４０、及びカメラモジュール１５０の様々な信号（例えば、無線信号、ブロードキャスティング信号、ディジタルオーディオファイル、ディジタル動映像ファイル、写真撮影など）に各々対応するサウンドをモバイル装置１００の外部に出力する。スピーカ１６３は、モバイル装置１００が実行する機能に対応するサウンド（例えば、電話通話に対応するボタン操作音又は通話接続音）を出力できる。スピーカ１６３は、モバイル装置１００のハウジングの適切な位置又は位置に１つ又は複数個形成される。
【００４６】
振動モータ１６４は、制御部１１０の制御に従って電気的信号を機械的信号に変換する。例えば、振動モードに設定されたモバイル装置１００が他の装置（図示せず）から音声通話を受信する場合に、振動モータ１６４が動作する。振動モータ１６４は、モバイル装置１００のハウジング内に１つ又は複数個形成される。振動モータ１６４は、タッチスクリーン１９０をタッチするユーザのタッチ動作及びタッチスクリーン１９０上でのタッチの連続的な動きに応じて動作する。
【００４７】
コネクタ１６５は、モバイル装置１００と外部装置（図示せず）又は電源ソース（図示せず）を相互に接続するためのインターフェースとして使用される。モバイル装置１００は、制御部１１０の制御に従ってコネクタ１６５に接続された有線ケーブルを通じてモバイル装置１００の記憶部１７５に記憶されたデータを外部装置（図示せず）に送信するか又は外部装置（図示せず）からデータを受信する。この時に、外部装置は、ドッキングステーションであり得、データは、外部の入力装置、例えば、マウス及びキーボードから転送された入力信号であり得る。また、モバイル装置１００は、コネクタ１６５に接続された有線ケーブルを通じて電源ソース（図示せず）から電源を受信するか又は電源ソースを用いてバッテリー（図示せず）を充電する。
【００４８】
キーパッド１６６は、モバイル装置１００の制御のためにユーザからキー入力を受信する。キーパッド１６６は、モバイル装置１００上に形成される物理的なキーパッド（図示せず）又はタッチスクリーン１９０上に表示される仮想のキーパッド（図示せず）を含む。モバイル装置１００上に形成される物理的なキーパッド（図示せず）は、モバイル装置１００の性能又は構成によっては省略される。
【００４９】
イヤホン（図示せず）は、イヤホン接続ジャック（Ｅａｒｐｈｏｎｅ  Ｃｏｎｎｅｃｔｉｎｇ  Ｊａｃｋ）１６７に挿入されることによりモバイル装置１００に接続される。
【００５０】
センサモジュール１７０は、モバイル装置１００の状態を検出する少なくとも１つのセンサを含む。例えば、センサモジュール１７０は、ユーザがモバイル装置１００に接近するか否かを検出する近接センサと、モバイル装置１００の周辺の光量を検出する照度センサとを含み得る。また、センサモジュール１７０は、ジャイロセンサ（Ｇｙｒｏ  Ｓｅｎｓｏｒ）を含み得る。ジャイロセンサは、モバイル装置１００の動作（例えば、モバイル装置１００の回転、又はモバイル装置１００に加えられる加速度又は振動）を検出し、地球の磁場を使用して方位（ｐｏｉｎｔ  ｏｆ  ｔｈｅ  ｃｏｍｐａｓｓ）を検出し、又は重力作用方向を検出する。さらに、センサモジュール１７０は、気圧（大気圧力）を測定することにより高度を検出する高度計（Ａｌｔｉｍｅｔｅｒ）を含み、センサモジュール１７０は、この検出に対応する信号を生成し、この信号を制御部１１０に送信する。センサモジュール１７０のセンサは、モバイル装置１００の性能に合わせて追加されるか又は削除される。
【００５１】
記憶部１７５は、制御部１１０の制御に従って、移動通信モジュール１２０、サブ通信モジュール１３０、マルチメディアモジュール１４０、カメラモジュール１５０、ＧＰＳモジュール１５５、入出力モジュール１６０、センサモジュール１７０、及びタッチスクリーン１９０の動作に応じて入出力される信号又はデータを記憶する。記憶部１７５は、モバイル装置１００又は制御部１１０の制御のための制御プログラム及びアプリケーションを記憶する。
【００５２】
“記憶部”という用語は、記憶部１７５、制御部１１０内のＲＯＭ１１２及びＲＡＭ１１３、又はモバイル装置１００に装着されるメモリカード（図示せず）（例えば、セキュアディジタル（ＳＤ）カード又はメモリスティック）を含む。記憶部は、不揮発性メモリ、揮発性メモリ、ハードディスクドライブ（ＨＤＤ）、又はソリッドステートドライブ（ＳＳＤ）を含み得る。
【００５３】
電源供給部１８０は、制御部１１０の制御に従って、モバイル装置１００のハウジングに配置される１つ又は複数のバッテリー（図示せず）に電源を供給する。１つ又は複数のバッテリー（図示せず）は、電源をモバイル装置１００に供給する。また、電源供給部１８０は、コネクタ１６５に接続された有線ケーブルを通じて外部の電源ソース（図示せず）から入力される電源をモバイル装置１００に供給できる。また、電源供給部１８０は、無線充電技術を通じて外部の電源ソースから無線で入力される電源をモバイル装置１００に供給できる。
【００５４】
タッチスクリーン１９０は、様々なサービス（例えば、通話、データ送信、ブロードキャスティング及び写真撮影）に対応する複数のユーザインターフェースをユーザに提供する。タッチスクリーン１９０は、ユーザインターフェースに入力される少なくとも１つのタッチに対応するアナログ信号をタッチスクリーンコントローラ１９５に送信する。タッチスクリーン１９０は、ユーザの身体（例えば、親指を含む指）又はタッチ可能な入力手段（例えば、スタイラスペン）を通じて少なくとも１つのタッチ入力を受信する。また、タッチスクリーン１９０は、１つ又は複数のタッチのうちで１つのタッチによる連続的な動きの入力を受信できる。タッチスクリーン１９０は、入力されるタッチの連続的な動きに対応するアナログ信号をタッチスクリーンコントローラ１９５に送信する。
【００５５】
本発明において、タッチは、タッチスクリーン１９０とユーザの身体又はタッチ可能な入力手段の間の接触に限定されず、非接触式タッチを含む。タッチスクリーン１９０で検出可能なスペースは、モバイル装置１００の性能又は構成に合わせて変更され得る。
【００５６】
タッチスクリーン１９０は、例えば、抵抗膜（ｒｅｓｉｓｔｉｖｅ）方式、静電容量（ｃａｐａｃｉｔｉｖｅ）方式、赤外線（ｉｎｆｒａｒｅｄ）方式、又は超音波（ａｃｏｕｓｔｉｃ  ｗａｖｅ）方式の何れかにより具現できる。
【００５７】
タッチスクリーンコントローラ１９５は、タッチスクリーン１９０から受信されたアナログ信号をディジタル信号（例えば、Ｘ及びＹ座標）に変換し、このディジタル信号を制御部１１０に送信する。制御部１１０は、タッチスクリーンコントローラ１９５から受信されたディジタル信号を用いてタッチスクリーン１９０を制御する。例えば、制御部１１０は、タッチに応じてタッチスクリーン１９０に表示された短縮アイコン（図示せず）を選択するか、又は短縮アイコン（図示せず）を実行する。また、タッチスクリーンコントローラ１９５は、制御部１１０に含まれ得る。
【００５８】
図２は、本発明の実施形態に係わるモバイル装置の前面斜視図であり、図３は、本発明の実施形態に係わるモバイル装置の後面斜視図である。
【００５９】
図２を参照すると、タッチスクリーン１９０は、モバイル装置１００の前面１００ａの中央に配置される。タッチスクリーン１９０は、モバイル装置１００の前面１００ａの大部分を占めるように大きなサイズで形成される。図２では、メインホームスクリーンがタッチスクリーン１９０に表示される例を示す。メインホームスクリーンは、モバイル装置１００の電源がオンとなる時にタッチスクリーン１９０上に表示される第１のスクリーンである。モバイル装置１００が複数のページの異なるホームスクリーンを含む場合に、メインホームスクリーンは、この複数のページのホームスクリーンのうちで第１のホームスクリーンである。頻繁に使用されるアプリケーションを実行する短縮アイコン１９１−１、１９１−２、及び１９１−３、アプリケーションスイッチキー１９１−４に加えて、時間、天気などが、ホームスクリーン上に表示される。アプリケーションスイッチキー１９１−４は、アプリケーションを示すアプリケーションアイコンをタッチスクリーン１９０上に表示する。また、タッチスクリーン１９０の上端には、バッテリー充電状態、受信信号の強度、及び現在の時刻のようなモバイル装置１００の状態を表示する状態バー（Ｓｔａｔｕｓ  Ｂａｒ）１９２が形成される。
【００６０】
タッチスクリーン１９０の下部には、ホームボタン１６１ａ、メニューボタン１６１ｂ、及びバックボタン１６１ｃが形成される。
【００６１】
ホームボタン１６１ａは、メインホームスクリーンをタッチスクリーン１９０上に表示する。例えば、ホームボタン１６１ａがメインホームスクリーンとは異なるホームスクリーン又はメニュースクリーンがタッチスクリーン１９０上に表示された状態で押される（又はタッチされる）場合に、メインホームスクリーンがタッチスクリーン１９０上に表示される。また、アプリケーションがタッチスクリーン１９０上に実行される間にホームボタン１６１ａが押される（又はタッチされる）場合に、図２に示すメインホームスクリーンがタッチスクリーン１９０上に表示される。また、ホームボタン１６１ａは、タッチスクリーン１９０上に最近に使用されたアプリケーションを表示するようにするか又はタスクマネージャを表示するようにも設定できる。
【００６２】
メニューボタン１６１ｂは、タッチスクリーン１９０上において使用できる接続メニューを提供する。この接続メニューには、ウィジェット追加メニュー、背景画面変更メニュー、検索メニュー、編集メニュー、及び環境設定メニューなどが含まれ得る。また、アプリケーション実行の時に、このアプリケーションに接続された接続メニューを提供するようにも設定できる。
【００６３】
バックボタン１６１ｃは、現在実行されているスクリーンの直前に実行されたスクリーンを表示するか、又は、最も最近に使用されたアプリケーションを終了するように設定される。
【００６４】
モバイル装置１００の前面１００ａのエッジには、第１のカメラ１５１、照度センサ１７０ａ、及び近接センサ１７０ｂが配置され得る。
一方、図３を参照すると、モバイル装置１００の後面１００ｃには、第２のカメラ１５２、フラッシュ１５３、及びスピーカ１６３が配置される。
【００６５】
また図２、図３を合わせ参照すると、モバイル装置１００の側面１００ｂには、例えば、電源／リセットボタン１６１ｄ、ボリュームボタン１６１ｅ、ブロードキャスティングを受信する地上波ＤＭＢアンテナ１４１ａ、及び１つ又は複数のマイクロフォン１６２などが配置されることができる。ＤＭＢアンテナ１４１ａは、モバイル装置１００に固定されるか、又は着脱可能であるように形成される。
【００６６】
また、コネクタ１６５は、モバイル装置１００の下端側面上に形成される。コネクタ１６５は複数の電極を備え、外部装置に有線で接続される。モバイル装置１００の上側面には、イヤホン接続ジャック１６７が形成されることができる。イヤホンは、イヤホン接続ジャック１６７に挿入される。
【００６７】
図４は、本発明の一実施形態による終了効果を表示するモバイル装置の制御方法を示すフローチャートである。
図５（Ａ）乃至（Ｄ）は、本発明の一実施形態の第１実施例による終了効果を表示するための場面を順次示す図である。
【００６８】
図４を参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。この時に、第１のレイヤーは、少なくとも１つのレイヤーに含まれ、モバイル装置のスクリーンは、少なくとも１つのレイヤーを通じて表示される。また後述するように、第２のレイヤーが少なくとも１つのレイヤーに含まれるが、制御部１１０は、第２のレイヤーのオブジェクトが表示されない場合は、タッチスクリーン上の第１のレイヤーに表示された少なくとも１つのオブジェクトをユーザに提示する。
本、第１実施例では、図５（Ａ）を参照すると、モバイル装置１００の制御部１１０は、ウェブページ２００として形成された少なくとも１つのオブジェクトをタッチスクリーン１９０上の第１のレイヤーに表示する。制御部１１０は、ウェブブラウザーアプリケーションを実行し、ウェブページ２００は、ウェブブラウザーアプリケーションの実行を通じてタッチスクリーン１９０上の第１のレイヤーに表示される。従って、制御部１１０は、タッチスクリーン１９０上の第１のレイヤーに表示されたウェブページ２００をユーザに提示する。この時に、例えば、図５（Ａ）に示すように検索サイトであるウェブページが表示される。具体的には例えば、バラックオバマ（Ｂａｒａｃｋ  Ｏｂａｍａ）に関する検索結果がウェブページ上に表示される。
【００６９】
次いで、ステップＳ１２０において、制御部１１０は少なくとも１つのオブジェクトを変換する第１のジェスチャーを検出する。但し、以下では第１のジェスチャーは、単にジェスチャーと呼ぶ。該変換は、スクロール（ｓｃｒｏｌｌ）、拡大、及び縮小のうちの何れか１つであり、ここでは、この変換は、スクロールとする。この時に、スクロールは、タッチスクリーン上に表示されるべき少なくとも１つのオブジェクトを移動する動作を意味し、該ジェスチャーは、少なくとも１つのオブジェクトを変換するタッチ入力である。さらに、該タッチ入力は、少なくとも１つのオブジェクトを変換する少なくとも１回のタッチ、ドラッグ（ｄｒａｇ）、又はフリック（ｆｌｉｃｋ）である。
例えば図５（Ｂ）を参照すると、制御部１１０は、少なくとも１つのオブジェクトであるウェブページをスクロールするジェスチャーを検出する。即ち、制御部１１０は、ウェブページをスクロールするドラッグ又はフリックのようなタッチ入力を検出する。即ち、図５（Ｂ）に示すように、制御部１１０は、ウェブページという少なくとも１つのオブジェクトをタッチスクリーン１９０の下端にスクロールするドラッグ又はフリックのようなタッチ入力２０２を検出する。
【００７０】
次いで、この少なくとも１つのオブジェクトは、ステップＳ１３０において、該ジェスチャーに応じて変換される。即ち、制御部１１０は、ステップＳ１２０で検出されたジェスチャーに応じて少なくとも１つのオブジェクトを変換する。また、このジェスチャーに対応する少なくとも１つのオブジェクトの変換は、予め設定可能であり、このジェスチャーに対応する予め定められた変換は、記憶部に予め記憶される。
この時に、ステップＳ１１０及びステップＳ１２０で説明したように、少なくとも１つのオブジェクトは、ウェブページ、連絡先、イメージ、テキスト、ビデオ、オーディオ、アイコン、項目、タブ、又はこれらの組合せで形成され、該変換は、スクロール、拡大、及び縮小のうちの何れか１つである。また、該ジェスチャーは、少なくとも１つのオブジェクトを変換するタッチ入力である。
ここでは、ドラッグ又はフリックのようなタッチ入力に対応する予め定められた変換は、スクロールであるとする。その場合、制御部１１０は、ドラッグ又はフリックのようなタッチ入力に応じてウェブページなどの少なくとも１つのオブジェクトをスクロールする。この時に、制御部１１０は、ドラッグ又はフリックの方向と同一の方向にウェブページなどの少なくとも１つのオブジェクトをスクロールする。
即ち、図５（Ｃ）に示すように、制御部１１０は、下方向のドラッグ又はフリックのようなタッチ入力２０２に応じてウェブページをタッチスクリーン１９０の下端にスクロールする。この時に、このウェブページが下端にスクロールされる際に、タッチスクリーン上に表示されていなかったウェブページの上端が自然にタッチスクリーン上に表示される。
従って、ウェブページがスクロールされる前である図５（Ａ）では、バラックオバマに関する検索結果の第２乃至第６の項目がタッチスクリーン上に表示されているが、ウェブページが制御部１１０によりタッチスクリーン１９０の下端にスクロールされた後である図５（Ｃ）では、バラックオバマに関する検索結果の第１の項目乃至第５の項目及び検索サイトの検索ウィンドウがタッチスクリーン上に表示される。従って、制御部１１０は、下方向のドラッグ又はフリックのようなタッチ入力２０２に応じてウェブページをタッチスクリーン１９０の下端にスクロールすることにより、タッチスクリーン上に表示されていなかったウェブページの上端をタッチスクリーン上に表示する。
【００７１】
次いで、ステップＳ１４０において、少なくとも１つのオブジェクトに対する変換が終了することを感知して、制御部１１０は、ステップＳ１３０で実行された少なくとも１つのオブジェクトに対する変換が終了することを感知する。即ち、ステップＳ１３０において、この少なくとも１つのオブジェクトに対する変換が実行されている間に、制御部１１０は、少なくとも１つのオブジェクトに対する変換が終了することを感知する。この時に、制御部１１０は、少なくとも１つのオブジェクトに対する変換が実行されている間に、変換されるべき少なくとも１つのオブジェクトがこれ以上存在しない場合に、少なくとも１つのオブジェクトに対する変換が終了したことを感知する。例えば、少なくとも１つのオブジェクトに対するスクロールが実行されている間に、制御部１１０は、少なくとも１つのオブジェクトに対するスクロールが終了したことを感知できる。
図５（Ｃ）をさらに参照すると、ウェブページである少なくとも１つのオブジェクトに対するスクロールが実行されている間に、制御部１１０は、ウェブページに対するスクロールが終了することを感知する。ステップＳ１３０において、下方向のドラッグ又はフリックに応じて、制御部１１０がウェブページをタッチスクリーンの下端にスクロールしている間に、制御部１１０は、ウェブページに対するスクロールが終了することを感知する。即ち、ステップＳ１３０で検出された下方向のドラッグ又はフリックに応じて、制御部１１０は、表示されていなかったウェブページの上端をタッチスクリーン上に表示する。また、制御部１１０は、表示されなかったウェブページの上端をタッチスクリーン上に表示する間に、ウェブページの上端がこれ以上存在しない状態に至る。この時に、即ち、表示されるウェブページの上端がこれ以上存在しない場合に、制御部１１０は、ウェブページに対するスクロールが終了したことを感知する。従って、少なくとも１つのオブジェクトに対する変換が実行されている間に、制御部１１０は、少なくとも１つのオブジェクトに対する変換が終了したことを感知できる。
【００７２】
次いで、少なくとも１つのオブジェクトに対する変換が終了する場合に、ステップＳ１５０において制御部１１０は、何らかの終了効果（Ｅｎｄ  Ｅｆｆｅｃｔ）をタッチスクリーン上の上述の第２のレイヤーに表示する。ステップＳ１４０において、少なくとも１つのオブジェクトに対する変換が終了したことを感知する場合に、制御部１１０は、該終了効果をタッチスクリーン１９０上の第２のレイヤーに表示する。該第２のレイヤーは、ステップＳ１１０で説明したように前記少なくとも１つのレイヤーに含まれ、モバイル装置のスクリーンに、前記少なくとも１つのレイヤーを通じて表示される。従って、制御部１１０は、タッチスクリーン上の第２のレイヤーに表示された終了効果をユーザに提示する。また、第２のレイヤーは、前記第１のレイヤーを隠すようにタッチスクリーン上に表示される。従って、終了効果が表示された第２のレイヤーは、少なくとも１つのオブジェクトが表示される第１のレイヤーを隠すようにタッチスクリーン上に表示される。
ここで第２のレイヤーは、半透明ウィンドウ又は不透明ウィンドウである。例えば制御部１１０は、第２のレイヤーを半透明ウィンドウとして形成する。半透明ウィンドウは、半透明ウィンドウに表示された物体及び半透明ウィンドウの下に形成された別途のウィンドウに表示された物体が同時に見えるように実質的に半分の透明度で形成されるウィンドウを意味する。従って、制御部１１０は、タッチスクリーン上の第２のレイヤーに表示された終了効果を半透明状態にしてユーザに提示すると同時に、第１のレイヤーに表示された少なくとも１つのオブジェクトもユーザに提示できる。また、制御部１１０は、第２のレイヤーを不透明ウィンドウで形成することもできる。不透明ウィンドウは、不透明ウィンドウに表示された物体だけが見え、不透明ウィンドウの下に形成された別途のウィンドウに表示された物体は見えないように形成されるウィンドウを意味する。その場合制御部１１０は、タッチスクリーン上の第２のレイヤーに表示された終了効果を不透明にしてユーザに提示する。即ち、第２のレイヤーに表示された終了効果が不透明状態で提示される場合、第１のレイヤーの下に位置した第１のレイヤーに表示される少なくとも１つのオブジェクトの部分は、終了効果により隠されるのでユーザには見えない。
【００７３】
この時に、該終了効果は、変換されるべき少なくとも１つのオブジェクトがこれ以上存在しないことを示すメッセージを表示するものである。また、該終了効果は、変換されるべき少なくとも１つのオブジェクトがこれ以上存在しない領域に表示できる。さらに、終了効果は、変換されるべき少なくとも１つのオブジェクトがこれ以上存在しない領域にボックスタイプで表示できる。
【００７４】
例えば、少なくとも１つのオブジェクトはウェブページであり、該変換はスクロールである。従って、ステップＳ１４０において、制御部１１０は、ウェブページのスクロールが終了したことを感知する。また、ウェブページのスクロールが終了したことを感知した場合に、制御部１１０は、ステップＳ１５０において、何らかの終了効果をタッチスクリーン上の第２のレイヤーに表示する。例えば、図５（Ｃ）に示すように、ウェブページに対するスクロールが終了したことを感知すると、制御部１１０は、図５（Ｄ）に示すように、終了効果をタッチスクリーン上の第２のレイヤーに表示する。この時に、該終了効果が表示された第２のレイヤーは、ウェブページが表示された第１のレイヤーを隠すようにタッチスクリーン上に表示される。
本、第１実施例では、該終了効果として、変換されるべき少なくとも１つのオブジェクトがこれ以上存在しないことを示すメッセージを表示する。即ち、制御部１１０は、図５（Ｄ）に例示するように、“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”というメッセージ２０４をタッチスクリーン上の第２のレイヤーに表示する。
さらに制御部１１０は、ウェブページが表示された第１のレイヤーを部分的に隠すように、例えば、“Ｎｏ  ｍｏｒｅ  ｉｔｅｍ  ｆｏｒ  ｙｏｕ”のようなメッセージ２０４に対応する終了効果が表示された第２のレイヤーがタッチスクリーン上に表示されるように制御できる。従って、図５（Ｄ）に示すように、“Ｎｏ  ｍｏｒｅ  ｉｔｅｍ  ｆｏｒ  ｙｏｕ”のようなメッセージ２０４に対応する終了効果がウェブページを隠すように表示される。即ち、図５（Ｄ）においては、検索サイトの検索ウィンドウが、“Ｎｏ  ｍｏｒｅ  ｉｔｅｍ  ｆｏｒ  ｙｏｕ”のようなメッセージ２０４に対応する終了効果により隠される。
従って、本発明の一実施形態によると、変換されるべき少なくとも１つのオブジェクトがこれ以上存在しないことを示すメッセージを表示することにより、少なくとも１つのオブジェクトに対する変換が終了したことを直観的にユーザに通知できるという利点がある。即ち、本発明の一実施形態によると、変換（スクロール）されるべき少なくとも１つのオブジェクトがこれ以上存在しないことを示すメッセージを表示することにより、少なくとも１つのオブジェクトに対するスクロールが終了したことを直観的にユーザに通知できるという利点がある。さらに、本発明の一実施形態によると、終了効果を表示する第２のレイヤーは、少なくとも１つのオブジェクトを表示する第１のレイヤーを隠すように表示される。
【００７５】
また、該終了効果は、変換されるべき少なくとも１つのオブジェクトがこれ以上存在しない領域に表示できる。例えば、図５（Ｄ）に示すように、制御部１１０は、下方向のドラッグ又はフリックに応じて、表示されなかったウェブページの上端をタッチスクリーン上に表示し、さらに、制御部１１０が当初表示されなかったウェブページの上端をタッチスクリーン上に表示する際に、表示されるべきウェブページの上端がこれ以上存在しない状態に至る。この時に、制御部１１０は、変換されるべき少なくとも１つのオブジェクトがこれ以上存在しない領域に対応するウェブページの上端に終了効果を表示できる。即ち、制御部１１０は、“Ｎｏ  ｍｏｒｅ  ｉｔｅｍ  ｆｏｒ  ｙｏｕ”のようなメッセージ２０４を、終了効果を示すために、変換されるべき少なくとも１つのオブジェクトがこれ以上存在しない領域に対応するウェブページの上端に表示する。
また、該終了効果は、変換されるべき少なくとも１つのオブジェクトがこれ以上存在しない領域にボックスタイプ２０６で表示できる。例えば、図５（Ｄ）に示すように、該終了効果は、変換されるべき少なくとも１つのオブジェクトがこれ以上存在しない領域に対応するウェブページの上端にボックスタイプ２０６のメッセージ２０４により表示できる。従って、本発明の一実施形態によると、変換されるべき少なくとも１つのオブジェクトがこれ以上存在しないというメッセージが表示されることで、変換されるべき少なくとも１つのオブジェクトがこれ以上存在しないことをユーザに通知できるという利点がある。即ち、本発明の一実施形態によると、ユーザが、終了効果が表示される領域を認識することにより、変換されるべき少なくとも１つのオブジェクトがこれ以上存在しないことを直観的に認識できるという利点がある。従って、本発明の一実施形態によると、変換（スクロール）される少なくとも１つのオブジェクトがこれ以上存在しない領域に終了効果を表示することにより、少なくとも１つのオブジェクトに対する変換（スクロール）が終了したことをユーザに通知できるという利点がある。
【００７６】
図６（Ａ）乃至（Ｄ）は、本発明の一実施形態の第２実施例による終了効果を表示するための場面を順次示す図である。図６（Ａ）乃至（Ｄ）により示す終了効果は、追加情報を表示することを特徴とする。
【００７７】
図４を再度参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
図６（Ａ）を参照すると第２実施例では、モバイル装置１００の制御部１１０は、ウェブページ３００として形成された少なくとも１つのオブジェクトをタッチスクリーン１９０上の第１のレイヤーに表示する。制御部１１０は、ウェブブラウザーアプリケーションを実行し、ウェブページ３００は、ウェブブラウザーアプリケーションの実行を通じてタッチスクリーン１９０上の第１のレイヤーに表示される。従って、制御部１１０は、タッチスクリーン１９０上の第１のレイヤーに表示されたウェブページ３００をユーザに提示する。この時に、検索サイトウェブページは、図６（Ａ）に例示したように表示される。本例でも、バラックオバマに関する検索結果が検索されウェブページ上に表示される。
【００７８】
次いで、ステップＳ１２０において、少なくとも１つのオブジェクトを変換する第１のジェスチャーが検出される。但し、以下では第１のジェスチャーは、単にジェスチャーと呼ぶ。この時に、この変換は、スクロール、拡大、及び縮小のうちの何れか１つであるが、ここでは、この変換はスクロールとする。この時に、このスクロールは、タッチスクリーン上に表示されるべき少なくとも１つのオブジェクトを移動する動作を意味する。また、このジェスチャーは、少なくとも１つのオブジェクトを変換するタッチ入力であり、このタッチ入力は、少なくとも１つのオブジェクトを変換する少なくとも１回のタッチ、ドラッグ、又はフリックである。
例えば図６（Ｂ）を参照すると、制御部１１０は、少なくとも１つのオブジェクトであるウェブページをスクロールするジェスチャーを検出する。即ち、制御部１１０は、ウェブページをスクロールするドラッグ又はフリックのようなタッチ入力を検出する。即ち、図６（Ｂ）に示すように、制御部１１０は、ウェブページである少なくとも１つのオブジェクトをタッチスクリーン１９０の下端にスクロールするドラッグ又はフリックのようなタッチ入力３０２を検出する。
【００７９】
次いで、ステップＳ１３０において、制御部１１０は、このジェスチャーに応じて少なくとも１つのオブジェクトを変換する。即ち、制御部１１０は、ステップＳ１２０で検出されたジェスチャーに応じて少なくとも１つのオブジェクトを変換する。また、このジェスチャーに対応する少なくとも１つのオブジェクトの変換は、予め設定可能であり、このジェスチャーに対応する予め定められた変換は、記憶部に予め記憶される。
ここでは、ドラッグ又はフリックのようなタッチ入力に対応する予め定められた変換は、スクロールである。従って、制御部１１０は、ドラッグ又はフリックのようなタッチ入力に応じてウェブページのような少なくとも１つのオブジェクトをスクロールする。この時に、制御部１１０は、ドラッグ又はフリックの方向と同一の方向にウェブページのような少なくとも１つのオブジェクトをスクロールする。
即ち、図６（Ｃ）に示すように、制御部１１０は、下方向のドラッグ又はフリックのようなタッチ入力３０２に応じてウェブページをタッチスクリーン１９０の下端にスクロールする。この時に、このウェブページが下端にスクロールされる際に、タッチスクリーン上に表示されていなかったウェブページの上端が自然にタッチスクリーン上に表示される。
従って、ウェブページがスクロールされる前である図６（Ａ）では、バラックオバマに関する検索結果の第２乃至第６の項目がタッチスクリーン上に表示されているが、ウェブページが制御部１１０によりタッチスクリーン１９０の下端にスクロールされた後である図６（Ｃ）では、バラックオバマに関する検索結果の第１の項目乃至第５の項目及び検索サイトの検索ウィンドウがタッチスクリーン上に表示される。従って、制御部１１０は、下方向のドラッグ又はフリックのようなタッチ入力３０２に応じてウェブページをタッチスクリーン１９０の下端にスクロールすることにより、タッチスクリーン上に表示されていなかったウェブページの上端をタッチスクリーン上に表示する。
【００８０】
次いで、ステップＳ１４０において、少なくとも１つのオブジェクトに対する変換が終了したことを感知して、制御部１１０は、ステップＳ１３０で実行された少なくとも１つのオブジェクトに対する変換が終了したことを感知する。即ち、ステップＳ１３０において、少なくとも１つのオブジェクトに対する変換が実行されている間に、制御部１１０は、少なくとも１つのオブジェクトに対する変換が終了したことを感知する。この時に、少なくとも１つのオブジェクトに対する変換が実行されている間に、変換されるべき少なくとも１つのオブジェクトがこれ以上存在しない場合に、制御部１１０は、少なくとも１つのオブジェクトに対する変換が終了したことを感知する。例えば、少なくとも１つのオブジェクトに対するスクロールが実行されている間に、制御部１１０は、少なくとも１つのオブジェクトに対するスクロールが終了したことを感知できる。
図６（Ｃ）をさらに参照すると、ウェブページである少なくとも１つのオブジェクトに対するスクロールが実行されている間に、制御部１１０は、ウェブページに対するスクロールが終了したことを感知する。ステップＳ１３０において、下方向のドラッグ又はフリックに応じて、制御部１１０がウェブページをタッチスクリーンの下端にスクロールしている間に、制御部１１０は、ウェブページに対するスクロールが終了したことを感知する。即ち、制御部１１０は、ステップＳ１３０で検出された下方向のドラッグ又はフリックに応じて、表示されていなかったウェブページの上端をタッチスクリーン上に表示する。また、制御部１１０は、表示されなかったウェブページの上端をタッチスクリーン上に表示する間に、ウェブページの上端がこれ以上存在しない状態に至る。この時、即ち、表示されるウェブページの上端がこれ以上存在しない場合に、制御部１１０は、ウェブページに対するスクロールが終了したことを感知する。従って、少なくとも１つのオブジェクトに対する変換が実行されている間に、制御部１１０は、少なくとも１つのオブジェクトに対する変換が終了したことを感知できる。
【００８１】
次いで、少なくとも１つのオブジェクトに対する変換が終了する場合に、ステップＳ１５０において制御部１１０は、何らかの終了効果をタッチスクリーン上の上述の第２のレイヤーに表示する。即ち、ステップＳ１４０において、制御部１１０が少なくとも１つのオブジェクトに対する変換が終了したことを感知する場合に、ステップＳ１５０において制御部１１０は、該終了効果をタッチスクリーン１９０上の第２のレイヤーに表示する。該第２のレイヤーは、第１のレイヤーを隠すようにタッチスクリーン上に表示される。
本、第２実施例では、終了効果は、追加情報を表示するものであり、しかも該追加情報は、現在実行されているアプリケーションに関連した情報、モバイル装置の現在の状態と関連した情報、及び暗記用コンテンツのうち少なくとも一つを含むことができる。また、該終了効果は、変換されるべき少なくとも１つのオブジェクトがこれ以上存在しない領域に表示される。また、該終了効果は、変換されるべき少なくとも１つのオブジェクトがこれ以上存在しない領域にボックスタイプで表示できる。
例えば、少なくとも１つのオブジェクトはウェブページであり、該変換はスクロールである。従って、ステップＳ１４０において、制御部１１０は、ウェブページのスクロールが終了したことを感知する。また、ウェブページのスクロールが終了したことを感知した場合に、制御部１１０は、ステップＳ１５０において、何らかの終了効果をタッチスクリーン上の第２のレイヤーに表示する。例えば、図６（Ｃ）に示すように、ウェブページに対するスクロールが終了したことを感知すると、制御部１１０は、図６（Ｄ）に示すように、該終了効果をタッチスクリーン上の第２のレイヤーに表示する。
本、第２実施例では、この時の終了効果は、追加情報を表示し、しかも該追加情報は、例えば、モバイル装置の現在の状態と関連した情報である。モバイル装置の現在の状態と関連した情報は、例えば、ＣＰＵ使用量に関する情報、アップデートされたアプリケーションの個数、使用されたメモリ容量、未使用のメモリ容量、又は現在の移動通信モジュールの速度である。
即ち、図６（Ｄ）に例示するように、制御部１１０は、モバイル装置の現在のＣＰＵ使用量に関する情報をメッセージ３０４として、例えば、１０％のＣＰＵが現在使用されていることを意味する“１０％  Ｕｓｅｄ”というテキスト及びバー（ｂａｒ）タイプマーキングのようにタッチスクリーン上の第２のレイヤーに表示する。“１０％  Ｕｓｅｄ”というテキスト及びバータイプマーキングのようなモバイル装置の現在の状態と関連した情報である追加情報に対応する終了効果が表示された第２のレイヤーは、ウェブページが表示された第１のレイヤーを部分的に隠すようにタッチスクリーン上に表示される。従って、図６（Ｄ）に示すように、“１０％  Ｕｓｅｄ”というテキスト及びバータイプマーキング３０４のようなモバイル装置の現在の状態と関連した情報である追加情報に対応する終了効果がウェブページを部分的に隠すように表示される。即ち、図６（Ｄ）においては、検索サイトの検索ウィンドウが隠される。
また、終了効果は、変換されるべき少なくとも１つのオブジェクトがこれ以上存在しない領域に表示できる。例えば、図６（Ｄ）に示すように、下方向のドラッグ又はフリックに応じて、制御部１１０は、表示されていなかったウェブページの上端をタッチスクリーン上に表示する。また、制御部１１０が当初表示されていなかったウェブページの上端をタッチスクリーン上に表示している間に、表示されるウェブページの上端がこれ以上存在しないことが判明する場合がある。この時に、制御部１１０は、変換されるべき少なくとも１つのオブジェクトがこれ以上存在しない領域に対応するウェブページの上端に終了効果を表示できる。即ち、制御部１１０は、変換されるべき少なくとも１つのオブジェクトがこれ以上存在しない領域に対応するウェブページの上端に“１０％  Ｕｓｅｄ”というテキスト及びバータイプマーキングのようなモバイル装置の現在の状態と関連した追加情報に対応する終了効果を表示する。また、終了効果は、変換されるべき少なくとも１つのオブジェクトがこれ以上存在しない領域にボックスタイプでも表示できる。例えば、図６（Ｄ）に示すように、終了効果は、変換されるべき少なくとも１つのオブジェクトがこれ以上存在しない領域に対応するウェブページの上端にボックスタイプ３０６のメッセージ３０４を表示できる。
従って、本発明の一実施形態によると、追加情報を含む終了効果を表示することにより、少なくとも１つのオブジェクトに対する変換が終了したことを直観的にユーザに通知できるだけでなく、同時に追加情報も通知できるという利点がある。また、本発明の一実施形態によると、追加情報を含む終了効果を表示することにより、現在実行中であるアプリケーションと関連した情報、モバイル装置の現在の状態と関連した情報、又は暗記用コンテンツをユーザに提供できるという利点がある。
【００８２】
図７（Ａ）乃至（Ｃ）、及び図８（Ａ）、（Ｂ）は、本発明の一実施形態の第３実施例による終了効果を表示する場面を示す図である。図７（Ａ）乃至（Ｃ）、及び図８（Ａ）、（Ｂ）に示す終了効果は、検出されたジェスチャーの長さ（ｌｅｎｇｔｈ）が予め定められた長さより長い場合に応じて表示されることを特徴とする。また、図７（Ａ）乃至（Ｃ）、及び図８（Ａ）、（Ｂ）に示す終了効果は、振動効果（ｏｓｃｉｌｌａｔｉｎｇ  ｅｆｆｅｃｔ）であることを特徴とする。
【００８３】
図４を再度参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ４００、連絡先、イメージ、テキスト、ビデオ、オーディオ、アイコン、項目、タブ、又はこれらの組合せで形成される。
図７（Ａ）を参照すると第３実施例では、モバイル装置１００の制御部１１０は、ウェブページ４００として形成された少なくとも１つのオブジェクトをタッチスクリーン１９０上の第１のレイヤーに表示する。制御部１１０は、ウェブブラウザーアプリケーションを実行し、ウェブページ４００は、ウェブブラウザーアプリケーションの実行を通じてタッチスクリーン１９０上の第１のレイヤーに表示される。従って、制御部１１０は、タッチスクリーン１９０上の第１のレイヤーに表示されたウェブページ４００をユーザに提示する。この時に、検索サイトウェブページは、図７（Ａ）に例示したように表示される。本例でも、バラックオバマに関する検索結果が検索されウェブページに表示される。
【００８４】
次いで、ステップＳ１２０において、少なくとも１つのオブジェクトを変換する第１のジェスチャーが検出される。但し、以下では第１のジェスチャーは、単にジェスチャーと呼ぶ。この時に、この変換は、スクロール、拡大、及び縮小のうちの何れか１つであり得る。例えば、この変換は、スクロールとする。この時に、このスクロールは、タッチスクリーン上に表示されるべき少なくとも１つのオブジェクトを移動する動作を意味する。また、このジェスチャーは、少なくとも１つのオブジェクトを変換するタッチ入力である。さらに、このタッチ入力は、少なくとも１つのオブジェクトを変換する少なくとも１回のタッチ、ドラッグ、又はフリックである。
例えば図７（Ｂ）を参照すると、制御部１１０は、少なくとも１つのオブジェクトであるウェブページをスクロールするジェスチャーを検出する。即ち、制御部１１０は、ウェブページをスクロールするドラッグ又はフリックのようなタッチ入力を検出する。即ち、図７（Ｂ）に示すように、制御部１１０は、ウェブページである少なくとも１つのオブジェクトをタッチスクリーン１９０の下端にスクロールするドラッグ又はフリックのようなタッチ入力４０２を検出する。
【００８５】
次いで、ステップＳ１３０において、この少なくとも１つのオブジェクトは、該ジェスチャーに応じて変換される。即ち、制御部１１０は、ステップＳ１２０で検出されたジェスチャーに応じて少なくとも１つのオブジェクトを変換する。また、このジェスチャーに対応する少なくとも１つのオブジェクトの変換は、予め設定可能であり、このジェスチャーに対応する予め定められた変換は、記憶部に予め記憶される。
ここでは、ドラッグ又はフリックのようなタッチ入力に対応する予め定められた変換は、スクロールである。従って、制御部１１０は、ドラッグ又はフリックのようなタッチ入力に応じてウェブページのような少なくとも１つのオブジェクトをスクロールする。この時に、制御部１１０は、ドラッグ又はフリックの方向と同一の方向にウェブページのような少なくとも１つのオブジェクトをスクロールする。
即ち、図７（Ｃ）に示すように、制御部１１０は、下方向のドラッグ又はフリックのようなタッチ入力４０２に応じてウェブページをタッチスクリーン１９０の下端にスクロールする。この時に、このウェブページが下端にスクロールされる際に、タッチスクリーン上に表示されていなかったウェブページの上端が自然にタッチスクリーン上に表示される。
従って、ウェブページがスクロールされる前である図７（Ａ）では、バラックオバマに関する検索結果の第２乃至第６の項目がタッチスクリーン上に表示されているが、ウェブページが制御部１１０によりタッチスクリーン１９０の下端にスクロールされた後である図７（Ｃ）では、バラックオバマに関する検索結果の第１の項目乃至第５の項目及び検索サイトの検索ウィンドウがタッチスクリーン上に表示される。従って、制御部１１０が下方向のドラッグ又はフリックのようなタッチ入力４０２に応じてウェブページをタッチスクリーン１９０の下端にスクロールすることにより、タッチスクリーン上に表示されていなかったウェブページの上端をタッチスクリーン上に表示する。
【００８６】
次いで、ステップＳ１４０において、少なくとも１つのオブジェクトに対する変換が終了したことを感知して、制御部１１０は、ステップＳ１３０で実行された少なくとも１つのオブジェクトに対する変換が終了したことを感知する。即ち、ステップＳ１３０において、少なくとも１つのオブジェクトに対する変換が実行されている間に、制御部１１０は、少なくとも１つのオブジェクトに対する変換が終了したことを感知する。この時に、少なくとも１つのオブジェクトに対する変換が実行されている間に、変換されるべき少なくとも１つのオブジェクトがこれ以上存在しない場合に、制御部１１０は、少なくとも１つのオブジェクトに対する変換が終了したことを感知する。例えば、少なくとも１つのオブジェクトに対するスクロールが実行されている間に、制御部１１０は、少なくとも１つのオブジェクトに対するスクロールが終了したことを感知できる。
図７（Ｃ）をさらに参照すると、ウェブページである少なくとも１つのオブジェクトに対するスクロールが実行されている間に、制御部１１０は、ウェブページに対するスクロールが終了したことを感知する。ステップＳ１３０において、下方向のドラッグ又はフリックに応じて、制御部１１０がウェブページをタッチスクリーンの下端にスクロールしている間に、制御部１１０は、ウェブページに対するスクロールが終了したことを感知する。即ち、制御部１１０は、ステップＳ１３０で検出された下方向のドラッグ又はフリックに応じて、表示されていなかったウェブページの上端をタッチスクリーン上に表示する。また、制御部１１０は、表示されなかったウェブページの上端をタッチスクリーン上に表示する間に、ウェブページの上端がこれ以上存在しない状態に至る。この時に、表示されるウェブページの上端がこれ以上存在しない場合に、制御部１１０は、ウェブページに対するスクロールが終了したことを感知する。従って、少なくとも１つのオブジェクトに対する変換が実行されている間に、制御部１１０は、少なくとも１つのオブジェクトに対する変換が終了したことを感知する。
【００８７】
次いで、少なくとも１つのオブジェクトに対する変換が終了する場合に、ステップＳ１５０において制御部１１０は、何らかの終了効果をタッチスクリーン上の上述の第２のレイヤーに表示する。ステップＳ１４０において、制御部１１０が少なくとも１つのオブジェクトに対する変換が終了したことを感知する場合に、制御部１１０は、該終了効果をタッチスクリーン１９０上の第２のレイヤーに表示する。該第２のレイヤーは、第１のレイヤーを隠すようにタッチスクリーン上に表示される。
本、第３実施例でも、該終了効果は、変換されるべき少なくとも１つのオブジェクトがこれ以上存在しないことを示すメッセージを表示するものである。また、該終了効果は、変換されるべき少なくとも１つのオブジェクトがこれ以上存在しない領域に表示される。さらに、該終了効果は、変換されるべき少なくとも１つのオブジェクトがこれ以上存在しない領域にボックスタイプで表示できる。
例えば、少なくとも１つのオブジェクトはウェブページであり、該変換はスクロールである。従って、ステップＳ１４０において、制御部１１０は、ウェブページのスクロールが終了したことを感知する。また、ウェブページのスクロールが終了したことを感知した場合に、制御部１１０は、ステップＳ１５０において、何らかの終了効果をタッチスクリーン上の第２のレイヤーに表示する。例えば、図７（Ｃ）に示すように、ウェブページに対するスクロールが終了したことを感知すると、制御部１１０は、図８（Ａ）に示すように、該終了効果をタッチスクリーン上の第２のレイヤーに表示する。
この時に、該終了効果が表示された第２のレイヤーは、ウェブページが表示された第１のレイヤーを隠すようにタッチスクリーン上に表示される。また、終了効果は、変換されるべき少なくとも１つのオブジェクトがこれ以上存在しないことを示すメッセージを表示する。即ち、制御部１１０は、図８（Ａ）に示すように、“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ４０４をタッチスクリーン上の第２のレイヤーに表示する。即ち、制御部１１０は、ウェブページが表示された第１のレイヤーを部分的に隠すように、例えば、“Ｎｏ  ｍｏｒｅ  ｉｔｅｍ  ｆｏｒ  ｙｏｕ”のようなメッセージ４０４に対応する終了効果が表示された第２のレイヤーがタッチスクリーン上に表示されるように制御する。従って、図８（Ａ）に示すように、“Ｎｏ  ｍｏｒｅ  ｉｔｅｍ  ｆｏｒ  ｙｏｕ”のようなメッセージ４０４の形で該終了効果がウェブページを隠すように表示される。即ち、図８（Ａ）において、検索サイトの検索ウィンドウは、“Ｎｏ  ｍｏｒｅ  ｉｔｅｍ  ｆｏｒ  ｙｏｕ”のようなメッセージ４０４に対応する終了効果により隠される。
また、該終了効果は、変換されるべき少なくとも１つのオブジェクトがこれ以上存在しない領域に表示できる。例えば、図８（Ａ）に示すように、制御部１１０は、下方向のドラッグ又はフリックに応じて、表示されなかったウェブページの上端をタッチスクリーン上に表示し、さらに、制御部１１０が当初表示されなかったウェブページの上端をタッチスクリーン上に表示する際に、表示されるべきウェブページの上端がこれ以上存在しない状態に至る。この時に、制御部１１０は、変換されるべき少なくとも１つのオブジェクトがこれ以上存在しない領域に対応するウェブページの上端に終了効果を表示できる。即ち、制御部１１０は、“Ｎｏ  ｍｏｒｅ  ｉｔｅｍ  ｆｏｒ  ｙｏｕ”のようなメッセージ４０４を、終了効果を示すために、変換されるべき少なくとも１つのオブジェクトがこれ以上存在しない領域に対応するウェブページの上端に表示する。
また、該終了効果は、変換されるべき少なくとも１つのオブジェクトがこれ以上存在しない領域にボックスタイプ４０６で表示できる。例えば、図８（Ａ）に示すように、該終了効果は、変換されるべき少なくとも１つのオブジェクトがこれ以上存在しない領域に対応するウェブページの上端にボックスタイプ４０６で表示される。
【００８８】
本、第３実施例の特徴として、該終了効果は、検出されたジェスチャーの長さが予め定められた長さより長い場合に応じて表示される。制御部１１０は、ステップＳ１２０において少なくとも１つのオブジェクトを変換するジェスチャーを検出し、Ｓ１３０において該ジェスチャーに応じて少なくとも１つのオブジェクトを変換し、ステップＳ１４０において少なくとも１つのオブジェクトに対する変換が終了したことを感知した後にも、制御部１１０は、少なくとも１つのオブジェクトを変換する該ジェスチャーを検出する。その際、制御部１１０は、ジェスチャーの長さも検出する。このような長さはジェスチャーの両端間の空間的な距離でありえるが、変形形態としてジェスチャーの開始から終了までの時間間隔であり得る。この時に、制御部１１０は、検出されたジェスチャーの長さが予め定められた長さより長い場合に応じた終了効果を表示する。ここで該終了効果は、振動効果である。従って、制御部１１０は、検出されたジェスチャーの長さが予め定められた長さより長い場合に応じた終了効果を振動効果として表示する。
なお、ここで「長さ」は、ジェスチャーの両端間の空間的な距離であるが、変形例としては、「長さ」はジェスチャーの開始から終了までの時間的な間隔であり得る。
【００８９】
例えば、図８（Ｂ）に示すように、制御部１１０は、ステップＳ１４０において、少なくとも１つのオブジェクトに対する変換が終了したことを感知した後にも、少なくとも１つのオブジェクトを変換するジェスチャー４０２を検出する。その際、制御部１１０は、ジェスチャー４０２の長さを検出し、検出されたジェスチャーの長さが予め定められた長さより長い場合に応じた終了効果を表示する。即ち、検出されたジェスチャーの長さが予め定められた長さより長い場合に、制御部１１０は、検出されたジェスチャーの長さに応じた終了効果を表示する。例えば、検出されたジェスチャーの長さが予め定められた長さより長い場合に応じて、制御部１１０は、終了効果も長く表示する。又は、検出されたジェスチャーの長さが予め定められた長さより長い場合に応じて、制御部１１０は、ジェスチャーの方向と同一の方向に終了効果を長く表示する。
【００９０】
例えば、図８（Ｂ）に示すように、図８（Ｂ）のジェスチャーは、図８（Ａ）に示すジェスチャーより長い。この時に、検出されたジェスチャーの長さが予め定められた長さより長い場合に応じて、制御部１１０は、終了効果を長く表示する。即ち、図８（Ｂ）に示すように、“Ｎｏ  ｍｏｒｅ  ｉｔｅｍ  ｆｏｒ  ｙｏｕ”のようなメッセージ４０４に対応する終了効果は、検出されたジェスチャーの長さに応じて長くなるように表示される。
【００９１】
また、検出されたジェスチャーの長さが予め定められた長さより長い場合に応じて、制御部１１０は、ジェスチャーの方向と同一の方向に終了効果を長く表示する。例えば、制御部１１０は、ジェスチャーの方向と同一の方向で変換されるべき少なくとも１つのオブジェクトがこれ以上存在しない領域にボックスタイプで表示された終了効果を長く表示する。図８（Ｂ）に示すように、制御部１１０は、変換されるべき少なくとも１つのオブジェクトがこれ以上存在しない領域に、下方向のドラッグ又はフリックに対応するジェスチャーの方向と同一の方向に、より長いボックスタイプ４１０の終了効果を表示する。即ち、制御部１１０は、ジェスチャーの方向と同一の下方向に延伸した終了効果を表示する。
【００９２】
また、終了効果は、変換効果であり得る。即ち、検出されたジェスチャーの長さが予め定められた長さより長い場合に応じて、制御部１１０は、終了効果を変換効果として表示する。該変換効果は、メッセージ又は追加情報に振動効果又は歪み効果を付与する。例えば、図８（Ｂ）に示すように、制御部１１０は、“Ｎｏ  ｍｏｒｅ  ｉｔｅｍ  ｆｏｒ  ｙｏｕ”のようなメッセージ４０８に対応する終了効果を変換効果として表示する。
即ち、制御部１１０は、“Ｎｏ  ｍｏｒｅ  ｉｔｅｍ  ｆｏｒ  ｙｏｕ”のようなメッセージ４０８に対応する終了効果に振動効果を付与する。該振動効果は、“Ｎｏ  ｍｏｒｅ  ｉｔｅｍ  ｆｏｒ  ｙｏｕ”のようなメッセージ４０８に対応する終了効果を予め定められた方向で振動する効果であり得る。例えば、図８（Ｂ）に示すように、振動効果は、“Ｎｏ  ｍｏｒｅ  ｉｔｅｍ  ｆｏｒ  ｙｏｕ”４０８のようなメッセージに対応する終了効果を予め定められた方向に対応する左右方向で振動する効果である。若しくは、制御部１１０は、“Ｎｏ  ｍｏｒｅ  ｉｔｅｍ  ｆｏｒ  ｙｏｕ”のようなメッセージ４０８に対応する終了効果に歪み効果を付与する。該歪み効果は、“Ｎｏ  ｍｏｒｅ  ｉｔｅｍ  ｆｏｒ  ｙｏｕ”のようなメッセージ４０８に対応する終了効果の表示形態（字体又は文字整列）を意図的に歪める（図示せず）効果である。
【００９３】
従って、本発明の一実施形態の第３実施例によると、検出されたジェスチャーの長さが予め定められた長さより長い場合に応じて終了効果が表示されることにより、少なくとも１つのオブジェクトに対する変換が終了したことを、付加的に強調してユーザに通知できるという利点がある。即ち、本、第３実施例によると、終了効果が表示された後にも検出されたジェスチャーの長さに応じて終了効果が表示されるので、少なくとも１つのオブジェクトに対する変換が終了したことを付加的に強調してユーザに通知できるという利点がある。さらに、本、第３実施例によると、変換効果を有する終了効果が表示されることにより、少なくとも１つのオブジェクトに対する変換が終了したことを付加的にさらに強調してユーザに通知できるという利点もある。
【００９４】
図９は、本発明の他の実施形態による終了効果を表示するモバイル装置の制御方法を示すフローチャートである。
図１０（Ａ）乃至（Ｃ）及び図１１（Ａ）乃至（Ｃ）は、本発明の他の実施形態の第１実施例による終了効果を表示するための場面を順次示す図である。
【００９５】
図９を参照すると、本発明の他の実施形態による終了効果を表示するモバイル装置の制御方法は、ステップＳ２１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はそれらの組合せで形成される。この時に、第１のレイヤーは、少なくとも１つのレイヤーに含まれ、少なくとも１つのレイヤーを通じてモバイル装置の画面が表示される。また後述するように、第２のレイヤーが少なくとも１つのレイヤーに含まれるが、制御部１１０は、第２のレイヤーのオブジェクトが表示されない場合は、タッチスクリーン上の第１のレイヤーに表示された少なくとも１つのオブジェクトをユーザに提示する。
図１０（Ａ）を参照すると、モバイル装置１００の制御部１１０は、ウェブページ５００上に形成された少なくとも１つのオブジェクトをタッチスクリーン１９０上の第１のレイヤーに表示する。制御部１１０は、ウェブブラウザーアプリケーションを実行し、ウェブページ５００は、ウェブブラウザーアプリケーションの実行を通じてタッチスクリーン１９０上の第１のレイヤーに表示される。従って、制御部１１０は、タッチスクリーン１９０上の第１のレイヤーに表示されたウェブページ５００をユーザに提示する。この時に、例えば図１０（Ａ）に示すように検索サイトであるウェブページが表示される。具体的には例えば、バラックオバマに関する検索結果が検索されウェブページ上に表示される。
【００９６】
次いで、ステップＳ２２０において、制御部１１０は少なくとも１つのオブジェクトを変換する第１のジェスチャーを検出する。この時に、この変換は、スクロール、拡大、及び縮小のうちの何れか１つであり、ここでは、この変換はスクロールとする。この時に、このスクロールは、タッチスクリーン上に表示されるべき少なくとも１つのオブジェクトを移動する動作を意味し、第１のジェスチャーは、少なくとも１つのオブジェクトを変換するタッチ入力である。さらに、このタッチ入力は、少なくとも１つのオブジェクトを変換する少なくとも１回のタッチ、ドラッグ、又はフリックである。
例えば図１０（Ｂ）を参照すると、制御部１１０は、少なくとも１つのオブジェクトであるウェブページをスクロールする第１のジェスチャーを検出する。即ち、制御部１１０は、ウェブページをスクロールするドラッグ又はフリックのようなタッチ入力を検出する。即ち、図１０（Ｂ）に示すように、制御部１１０は、ウェブページにおいて、或る少なくとも１つのオブジェクトをタッチスクリーン１９０の下端にスクロールするドラッグ又はフリックのような第１のジェスチャー（タッチ入力５０２）を検出する。
【００９７】
次いで、この少なくとも１つのオブジェクトは、ステップＳ２３０において、第１のジェスチャーに応じて変換される。即ち、制御部１１０は、ステップＳ２２０で検出された第１のジェスチャーに応じて少なくとも１つのオブジェクトを変換する。また、第１のジェスチャーに対応する少なくとも１つのオブジェクトの変換は予め設定可能であり、第１のジェスチャーに対応する予め定められた変換は、記憶部に予め記憶される。
この時に、ステップＳ２１０及びステップＳ２２０で説明したように、少なくとも１つのオブジェクトは、ウェブページ、連絡先、イメージ、テキスト、ビデオ、オーディオ、アイコン、項目、タブ、又はこれらの組合せで形成され、この変換は、スクロール、拡大、及び縮小のうちの何れか１つである。また、第１のジェスチャーは、この少なくとも１つのオブジェクトを変換するタッチ入力である。
ここでは、ドラッグ又はフリックのようなタッチ入力に対応する予め定められた変換は、スクロールであるとする。その場合、制御部１１０は、ドラッグ又はフリックのようなタッチ入力に応じてウェブページなどの少なくとも１つのオブジェクトをスクロールする。この時に、制御部１１０は、ドラッグ又はフリックの方向と同一の方向にウェブページなどの少なくとも１つのオブジェクトをスクロールする。
即ち、図１０（Ｃ）に示すように、制御部１１０は、下方向のドラッグ又はフリックのようなタッチ入力５０２に応じてウェブページをタッチスクリーン１９０の下端にスクロールする。この時に、このウェブページが下端にスクロールされる際に、タッチスクリーン上に表示されなかったウェブページの上端が自然にタッチスクリーン上に表示される。
従って、ウェブページがスクロールされる前である図１０（Ａ）では、バラックオバマに関する検索結果の第２乃至第６の項目がタッチスクリーン上に表示されているが、ウェブページが制御部１１０によりタッチスクリーン１９０の下端にスクロールされた後である図１０（Ｃ）では、バラックオバマに関する検索結果の第１の項目乃至第５の項目及び検索サイトの検索ウィンドウがタッチスクリーン上に表示される。従って、制御部１１０は、下方向のドラッグ又はフリックのようなタッチ入力５０２に応じてウェブページをタッチスクリーン１９０の下端にスクロールすることにより、タッチスクリーン上に表示されていなかったウェブページの上端をタッチスクリーン上に表示する。
【００９８】
次いで、ステップＳ２４０において、少なくとも１つのオブジェクトに対する変換が終了することを感知して、制御部１１０は、ステップＳ２３０で実行された少なくとも１つのオブジェクトに対する変換が終了することを感知する。即ち、ステップＳ２３０において、この少なくとも１つのオブジェクトに対する変換が実行されている間に、制御部１１０は、少なくとも１つのオブジェクトに対する変換が終了したことを感知する。この時に、制御部１１０は、少なくとも１つのオブジェクトに対する変換が実行されている間に、変換されるべき少なくとも１つのオブジェクトがこれ以上存在しない場合に、少なくとも１つのオブジェクトに対する変換が終了したことを感知する。例えば、少なくとも１つのオブジェクトに対するスクロールが実行されている間に、制御部１１０は、少なくとも１つのオブジェクトに対するスクロールが終了したことを感知できる。
図１０（Ｃ）をさらに参照すると、ウェブページである少なくとも１つのオブジェクトに対するスクロールが実行されている間に、制御部１１０は、ウェブページに対するスクロールが終了したことを感知する。ステップＳ２３０において、下方向のドラッグ又はフリックに応じて、制御部１１０がウェブページをタッチスクリーンの下端にスクロールしている間に、制御部１１０は、ウェブページに対するスクロールが終了したことを感知する。即ち、ステップＳ２３０で検出された下方向のドラッグ又はフリックに応じて、制御部１１０は、表示されていなかったウェブページの上端をタッチスクリーン上に表示する。また、制御部１１０は、表示されなかったウェブページの上端をタッチスクリーン上に表示する間に、ウェブページの上端がこれ以上存在しない状態に至る。この時に、即ち、表示されるウェブページの上端がこれ以上存在しない場合に、制御部１１０は、ウェブページに対するスクロールが終了したことを感知する。従って、少なくとも１つのオブジェクトに対する変換が実行されている間に、制御部１１０は、少なくとも１つのオブジェクトに対する変換が終了したことを感知できる。
【００９９】
次いで、少なくとも１つのオブジェクトに対する変換が終了する場合に、ステップＳ２５０において制御部１１０は、何らかの終了効果を、タッチスクリーン上の上述の第２のレイヤーに表示する。ステップＳ２４０において、少なくとも１つのオブジェクトに対する変換が終了したことを感知する場合に、制御部１１０は、該終了効果をタッチスクリーン１９０上の第２のレイヤーに表示する。該第２のレイヤーは、ステップＳ２１０で説明した前記少なくとも１つのレイヤーに含まれ、モバイル装置のスクリーンに、前記少なくとも１つのレイヤーを通じて表示される。従って、制御部１１０は、タッチスクリーン上の第２のレイヤーに表示された終了効果をユーザに提示する。また、第２のレイヤーは、前記第１のレイヤーを隠すようにタッチスクリーン上に表示される。従って、終了効果が表示された第２のレイヤーは、少なくとも１つのオブジェクトが表示された第１のレイヤーを隠すようにタッチスクリーン上に表示される。
【０１００】
この時点での終了効果は、図５（Ｄ）又は図６（Ｄ）を参照して説明した終了効果と同一であるので、説明を省略する。即ち、該終了効果は、変換されるべき少なくとも１つのオブジェクトがこれ以上存在しないことを示すメッセージを表示する。また、該終了効果は、変換されるべき少なくとも１つのオブジェクトがこれ以上存在しない領域に表示できる。さらに、該終了効果は、変換されるべき少なくとも１つのオブジェクトがこれ以上存在しない領域にボックスタイプで表示できる。さらにまた、該終了効果は、追加情報を表示でき、該追加情報は、現在実行されているアプリケーションに関連した情報、モバイル装置の現在の状態と関連した情報、及び暗記用コンテンツのうちの何れか１つであり得る。
【０１０１】
例えば、図１１（Ａ）において、制御部１１０は、“変換されるべき少なくとも１つのオブジェクトがこれ以上存在しない”とのメッセージを、例えば、“Ｎｏ  ｍｏｒｅ  ｉｔｅｍ  ｆｏｒ  ｙｏｕ”のようなメッセージ５０４をタッチスクリーン上の第２のレイヤーに表示する。また、制御部１１０は、“Ｎｏ  ｍｏｒｅ  ｉｔｅｍ  ｆｏｒ  ｙｏｕ”のようなメッセージ５０４に対応する終了効果を変換されるべき少なくとも１つのオブジェクトがこれ以上存在しない領域に対応するウェブページの上端に表示できる。また、終了効果は、変換されるべき少なくとも１つのオブジェクトがこれ以上存在しない領域にボックスタイプのメッセージにより表示できる。例えば、図１１（Ａ）に示すように、終了効果は、変換されるべき少なくとも１つのオブジェクトがこれ以上存在しない領域に対応するウェブページの上端５０６にボックスタイプ５０６で表示できる。
【０１０２】
次いで、本発明の他の実施形態に特有のモバイル装置の制御方法によれば、再度図９を参照すると、ステップＳ２６０において、上述の終了効果は一旦、タッチスクリーンから除去される。制御部１１０は、終了効果をタッチスクリーンから除去する。即ち、制御部１１０は、上述したように、ステップＳ２５０において第２のレイヤーに表示された終了効果をタッチスクリーンから除去する。この時に、制御部１１０は、例えばステップＳ２５０において、終了効果が表示された後に予め定められた時間が経過すると、終了効果をタッチスクリーンから除去する。例えば、制御部１１０は、図１１（Ａ）において、第２のレイヤーに表示された“Ｎｏ  ｍｏｒｅ  ｉｔｅｍ  ｆｏｒ  ｙｏｕ”のようなメッセージ５０４に対応する終了効果をタッチスクリーン１９０から除去する。図１１（Ｂ）に示すように、第１のレイヤーに表示された少なくとも１つのオブジェクトだけがタッチスクリーン上に表示される。即ち、図１１（Ｂ）に示すように、第１のレイヤーに表示されたウェブページだけがタッチスクリーン上に表示される。
【０１０３】
次いで、ステップＳ２７０において、少なくとも１つのオブジェクトを変換する第２のジェスチャーが検出される。第２のジェスチャーは、上述したように、ステップＳ２６０において、終了効果が除去された後に検出されたジェスチャーを意味する。従って、第２のジェスチャーは、第１のジェスチャーとは異なり得る。また、第２のジェスチャーは、少なくとも１つのオブジェクトを変換するタッチ入力であり得る。さらに、このタッチ入力は、少なくとも１つのオブジェクトを変換する少なくとも１回のタッチ、ドラッグ、又はフリックであり得る。従って、第２のジェスチャーは、第１のジェスチャーと同一のタイプのジェスチャーであり得る。例えば、第２のジェスチャー及び第１のジェスチャーの全ては、ドラッグ又はフリックのようなタッチ入力であり得る。
しかしながら、上述したようなステップＳ２６０において、第２のジェスチャーは、終了効果が除去された後に検出されたジェスチャーを意味するので、第１のジェスチャーとは異なる。例えば、図１１（Ｂ）を参照すると、制御部１１０は、少なくとも１つのオブジェクトであるウェブページをスクロールする第２のジェスチャーを検出する。即ち、制御部１１０は、上述したようなステップＳ２６０において、終了効果が除去された後に少なくとも１つのオブジェクトであるウェブページをスクロールする第２のジェスチャーとしてタッチ入力５１２を検出する。例えば、図１１（Ｂ）に示すように、上述したようなステップＳ２６０において、終了効果が除去された後に、制御部１１０は、ウェブページ上の或る少なくとも１つのオブジェクトをタッチスクリーン１９０の下端にスクロールするドラッグ又はフリックのようなタッチ入力５１２を検出する。
【０１０４】
次いで、ステップＳ２８０において、第２のジェスチャーに対応する新しい終了効果が、タッチスクリーン上の第２のレイヤーに表示される。即ち、第２のジェスチャーが上述したようにステップＳ２６０で検出される場合に、制御部１１０は、対応する終了効果をタッチスクリーン上の第２のレイヤーに表示する。従って、制御部１１０は、上述したステップＳ２５０において、終了効果を表示し、上述したステップＳ２６０において、第２のジェスチャーに対応する新しい終了効果を除去した後に、少なくとも１つのオブジェクトを変換する第２のジェスチャーがステップＳ２７０で検出される場合に、対応する終了効果をさらに表示する。
【０１０５】
この時の終了効果もまた、図５（Ｄ）又は図６（Ｄ）を参照して説明した終了効果と同一であるので、説明を省略する。即ち、該終了効果は、変換されるべき少なくとも１つのオブジェクトがこれ以上存在しないことを示すメッセージを表示する。また、該終了効果は、変換されるべき少なくとも１つのオブジェクトがこれ以上存在しない領域に表示できる。さらに、該終了効果は、変換されるべき少なくとも１つのオブジェクトがこれ以上存在しない領域にボックスタイプで表示できる。また、該終了効果は、追加情報を表示でき、該追加情報は、現在実行されているアプリケーションに関連した情報、モバイル装置の現在の状態と関連した情報、及び暗記用コンテンツのうちの何れか１つであり得る。
【０１０６】
例えば、図１１（Ｃ）に例示するように、制御部１１０は、モバイル装置の現在のＣＰＵ使用量に関する情報をメッセージ５１４として、例えば、１０％のＣＰＵが現在使用されていることを意味する“１０％  Ｕｓｅｄ”というテキスト及びバータイプマーキングのようにタッチスクリーン上の第２のレイヤーに表示する。また、制御部１１０は、“１０％  Ｕｓｅｄ”というテキスト及びバータイプマーキングのようなモバイル装置の現在の状態と関連した情報である追加情報に対応する終了効果を変換されるべき少なくとも１つのオブジェクトがこれ以上存在しない領域に対応するウェブページの上端にボックスタイプ５１６で表示することができる。
【０１０７】
従って、本発明の他の実施形態によると、終了効果が除去された後に検出されたジェスチャーに応じて終了効果を再表示するので、少なくとも１つのオブジェクトに対する変換が終了したことを再度ユーザに付加的に通知することができるという利点がある。即ち、本発明の他の実施形態によると、終了効果が除去された後に、さらに少なくとも１つのオブジェクトを変換するジェスチャーが検出された場合に、終了効果を再表示することにより少なくとも１つのオブジェクトに対する変換が終了したことを付加的に強調して再度ユーザに通知できるという利点がある。
【０１０８】
図１２（Ａ）乃至（Ｃ）及び図１３（Ａ）、（Ｂ）は、本発明の他の実施形態の第１の具体例に従う終了効果を表示する場面を示す図である。
【０１０９】
図９をさらに参照すると、本発明の他の実施形態による終了効果を表示するモバイル装置の制御方法は、ステップＳ２１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第１の例においては、外少なくとも１つのオブジェクトは、少なくとも一つの連絡先（Ｃｏｎｔａｃｔｓ）であり、より詳細には、所属する少なくとも１つの連絡先を組合せて形成された、連絡先リスト（Ｃｏｎｔａｃｔ  ｌｉｓｔ）である。図１２（Ａ）を参照すると、モバイル装置１００の制御部１１０は、連絡先リストとして形成された少なくとも１つのオブジェクトをタッチスクリーン１９０上の第１のレイヤーに表示する。即ち、連絡先リストアイコン６００が選択されると、制御部１１０は、連絡先リストアイコン６００がクリックされると連絡先アプリケーションを実行し、連絡先リストは、連絡先アプリケーションの実行を通じてタッチスクリーン１９０上の第１のレイヤーに表示される。
【０１１０】
次いで、ステップＳ２２０において、制御部１１０は少なくとも１つのオブジェクトを変換する第１のジェスチャーを検出する。この時に、この変換は、スクロール、拡大、及び縮小のうちの何れか１つであり、ここでは、この変換はスクロールとする。この時に、このスクロールは、タッチスクリーン上に表示されるべき少なくとも１つのオブジェクトを移動する動作を意味し、第１のジェスチャーは、少なくとも１つのオブジェクトを変換するタッチ入力であり、このタッチ入力は、少なくとも１つのオブジェクトを変換する少なくとも１回のタッチ、ドラッグ、又はフリックである。
例えば図１２（Ｂ）を参照すると、制御部１１０は、少なくとも１つのオブジェクトである連絡先リストをスクロールする第１のジェスチャーを検出する。即ち、制御部１１０は、連絡先リストをスクロールするドラッグ又はフリックのようなタッチ入力を検出する。即ち、図１２（Ｂ）に示すように、制御部１１０は、連絡先リストとして形成された少なくとも１つのオブジェクトをタッチスクリーン１９０の下端にスクロールするドラッグ又はフリックのようなタッチ入力６０２を検出する。
【０１１１】
次いで、この少なくとも１つのオブジェクトは、ステップＳ２３０において、第１のジェスチャーに応じて変換される。ここでは、図１２（Ａ）に示すように、ドラッグ又はフリックのようなタッチ入力（例えば、第１のジェスチャー）に対応する予め定められた変換は、スクロールであり、制御部１１０は、ドラッグ又はフリックのようなタッチ入力に応じて連絡先リストのような少なくとも１つのオブジェクトをスクロールする。即ち、図１２（Ａ）に示すように、制御部１１０は、下方向のドラッグ又はフリックのようなタッチ入力６０２に応じて連絡先リストをタッチスクリーン１９０の下端にスクロールする。
【０１１２】
次いで、ステップＳ２４０において、少なくとも１つのオブジェクトに対する変換が終了したことが感知される。制御部１１０は、上述したステップＳ２３０で実行された少なくとも１つのオブジェクトに対する変換が終了したことを感知する。例えば、図１２（Ｂ）に示すように、連絡先リストという少なくとも１つのオブジェクトに対するスクロールが実行されると、制御部１１０は、連絡先リストに対するスクロールが終了したことを感知する。即ち、表示される連絡先リストの上端がこれ以上存在しない場合に、制御部１１０は、連絡先リストに対するスクロールが終了したことを感知する。
【０１１３】
次いで、少なくとも１つのオブジェクトに対する変換が終了すると、ステップＳ２５０において制御部１１０は、終了効果をタッチスクリーン上の第２のレイヤーに表示する。
例えば、制御部１１０は、図１２（Ｃ）に示すように、終了効果として“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ６０４をタッチスクリーン上の第２のレイヤーに表示する。また、制御部１１０は、“Ｎｏ  ｍｏｒｅ  ｉｔｅｍ  ｆｏｒ  ｙｏｕ”のようなメッセージ６０４に対応する終了効果を、変換されるべき少なくとも１つのオブジェクトがこれ以上存在しない領域に対応する連絡先リストの上端に、好ましくはボックスタイプ６０６内に表示できる。従って、本、第１の例によると、スクロールされる連絡先リストがこれ以上存在しないことを示すメッセージを表示することにより、連絡先リストに対するスクロールが終了したことを直観的にユーザに通知できるという利点がある。
【０１１４】
また、本、第１の例によると、制御部１１０は、図１２（Ｃ）に示すように、終了効果として追加情報を表示できる。該追加情報は、現在実行中であるアプリケーションと関連した情報であり、制御部１１０は例えば、現在実行中であるアプリケーションである連絡先アプリケーションと関連した情報を終了効果として表示できる。より具体的には例えば、連絡先アプリケーションと関連した情報は、連絡先リストに直近に追加された連絡先である。即ち、図１２（Ｃ）に示すように、制御部１１０は、直近に追加された連絡先がＲｅｈｏと呼ばれる場合、追加情報を“Ｒｅｃｅｎｔ’ｓ  ａｄｄ  ｗａｓ  Ｒｅｈｏ”というメッセージ６０５として表示する。従って、本発明の他の実施形態の第１の例によると、現在実行中であるアプリケーションと関連した情報を含む終了効果を表示することにより、連絡先リストに対するスクロールが終了したことを直観的にユーザに通知できるだけでなく、同時に現在実行中であるアプリケーションと関連した情報を含む追加情報をユーザに通知できるという利点がある。
【０１１５】
次いで、本、第１の例においても、ステップＳ２６０において、（第１の）終了効果を表わす上述のメッセージがタッチスクリーンから除去される。例えば、制御部１１０は、図１２（Ｃ）において、第２のレイヤーに表示された“Ｎｏ  ｍｏｒｅ  ｉｔｅｍ  ｆｏｒ  ｙｏｕ”のようなメッセージ６０４及び／又は“Ｒｅｃｅｎｔ’ｓ  ａｄｄ  ｗａｓ  Ｒｅｈｏ”のようなメッセージ６０５に対応する追加情報を含む終了効果をタッチスクリーン１９０から除去する。
【０１１６】
次いで、ステップＳ２７０において、少なくとも１つのオブジェクトを変換する第２のジェスチャーが検出される。例えば、図１３（Ａ）に示したように、上述の終了効果がステップＳ２６０において除去された後に、制御部１１０は、連絡先リストである少なくとも１つのオブジェクトを、タッチスクリーン１９０の下端にスクロールするドラッグ又はフリックのようなタッチ入力６１２に対応する第２のジェスチャーを検出する。
【０１１７】
次いで、ステップＳ２８０において、（第２の）終了効果がタッチスクリーン上の第２のレイヤーに表示される。
【０１１８】
例えば、制御部１１０は、図１３（Ｂ）に示すように、終了効果として“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ６１４をタッチスクリーン上の第２のレイヤーに表示する。また、制御部１１０は、“Ｎｏ  ｍｏｒｅ  ｉｔｅｍ  ｆｏｒ  ｙｏｕ”のようなメッセージ６１４に対応する終了効果を、変換されるべき少なくとも１つのオブジェクトがこれ以上存在しない領域に対応する連絡先リストの上端に、好ましくはボックスタイプ６１６内に表示する。
【０１１９】
また、例えば、制御部１１０は、図１３（Ｂ）に示すように、（第２の）終了効果の一部として別の追加情報を表示できる。該追加情報は、現在実行中であるアプリケーションと関連した情報であり、制御部１１０は例えば、現在実行中であるアプリケーションである連絡先アプリケーションと関連した別の情報を終了効果として表示できる。より具体的には例えば、連絡先アプリケーションと関連した別の情報は、そのモバイル装置が現在活性化されている（ＯＮ）連絡先の数である。従って、図１３（Ｂ）に示すように、制御部１１０は、そのモバイル装置が現在活性化されている（ＯＮ）人数が２５名であることを示す追加情報を“２５  ｐｅｏｐｌｅ  ＯＮ”のようなメッセージ６１５として表示する。
【０１２０】
従って、本発明の一実施形態の第１の具体例によると、第１の終了効果が除去された後に連絡先リストをスクロールするジェスチャーがさらに検出された場合に、スクロールされるべき連絡先リストがこれ以上存在しないことを示すメッセージを第２の終了効果として表示することにより、連絡先リストに対するスクロールが終了したことを直観的にユーザに通知できるだけでなく、同時に現在実行中であるアプリケーションと関連した情報を含む追加情報をユーザに通知できるという利点がある。
【０１２１】
図１４（Ａ）乃至（Ｃ）及び図１５（Ａ）乃至（Ｃ）は、本発明の他の実施形態の第２の具体例に従う終了効果を表示する場面を示す図である。
【０１２２】
図９をさらに参照すると、本発明の他の実施形態による終了効果を表示するモバイル装置の制御方法は、ステップＳ２１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第２の具体例においては、該少なくとも１つのオブジェクトは、少なくとも一つのイメージであり、より詳細には、該イメージの組合せからなる、ギャラリーである。
【０１２３】
図１４（Ａ）を参照すると、モバイル装置１００の制御部１１０は、ギャラリーとして形成された少なくとも１つのオブジェクトに属する任意のイメージをタッチスクリーン１９０の第１のレイヤーに表示する。即ち、制御部１１０は、ギャラリーアプリケーションを実行し、該ギャラリーに属するイメージ７２０を、ギャラリーアプリケーションの実行を通じてタッチスクリーン１９０上の第１のレイヤーに表示する。
【０１２４】
次いで、ステップＳ２２０において、制御部１１０は少なくとも１つのオブジェクトを変換する第１のジェスチャーを検出する。この時に、この変換は、スクロール、拡大、及び縮小のうちの何れか１つであり、ここでは、この変換はスクロールとする。この時に、このスクロールは、タッチスクリーン上に表示されるべき少なくとも１つのオブジェクトを移動する動作を意味し、第１のジェスチャーは、少なくとも１つのオブジェクトを変換するタッチ入力であり、このタッチ入力は、少なくとも１つのオブジェクトを変換する少なくとも１回のタッチ、ドラッグ、又はフリックである。
例えば図１４（Ａ）を参照すると、制御部１１０は、少なくとも１つのオブジェクトである、イメージ７２０を含むギャラリーをスクロールする第１のジェスチャーを検出する。即ち、制御部１１０は、イメージを含むギャラリーをスクロールするドラッグ又はフリックのようなタッチ入力を検出する。即ち、図１４（Ａ）に示すように、制御部１１０は、イメージ７２０を含むギャラリーである少なくとも１つのオブジェクトをタッチスクリーン１９０の右方向にスクロールするドラッグ又はフリックのような第１のジェスチャー（タッチ入力７０２）を検出する。
【０１２５】
次いで、ステップＳ２３０において、この少なくとも１つのオブジェクトは、第１のジェスチャーに応じて変換される。ここでは、図１４（Ａ）及び（Ｂ）に示すように、ドラッグ又はフリックのようなタッチ入力という第１のジェスチャーに対応する予め定められた変換は、スクロールであり、制御部１１０は、横方向のドラッグ又はフリックのようなタッチ入力７０２に応じてイメージ７２０を含むギャラリーからなる少なくとも１つのオブジェクトをスクロールして、別のイメージ７３０を表示する。即ち、図１４（Ａ）及び図１４（Ｂ）に示すように、制御部１１０は、右方向のドラッグ又はフリックのようなタッチ入力７０２に応じてイメージ７２０をタッチスクリーン１９０の右端にスクロールした後に、別のイメージ７３０を表示する。
【０１２６】
次いで、ステップＳ２４０において制御部１１０は、少なくとも１つのオブジェクトに対する変換が終了することを感知する。制御部１１０は、上述したステップＳ２３０で実行された少なくとも１つのオブジェクトに対する変換が終了したことを感知する。
【０１２７】
例えば、図１４（Ｃ）に示すように、複数のイメージを含むギャラリーである少なくとも１つのオブジェクトに対するスクロールが実行されている間に、制御部１１０は、ギャラリーに対するスクロールがイメージ７３０で終了したことを感知する。即ち、表示されるべきイメージがこれ以上存在しない場合に、制御部１１０は、ギャラリーに対するスクロールが終了したことを判断する。
【０１２８】
次いで、少なくとも１つのオブジェクトに対する変換が終了すると、ステップＳ２５０において制御部１１０は、終了効果をタッチスクリーン上の第２のレイヤーに表示する。
【０１２９】
例えば、制御部１１０は、図１５（Ａ）に示すように、終了効果として“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ７０４をタッチスクリーン上の第２のレイヤーに表示する。また、制御部１１０は、“Ｎｏ  ｍｏｒｅ  ｉｔｅｍ  ｆｏｒ  ｙｏｕ”のようなメッセージ７０４に対応する終了効果を、変換されるべき少なくとも１つのオブジェクトがこれ以上存在しない領域に対応する、最後のイメージ７３０の左方に、好ましくはボックスタイプ７０６内に表示する。従って、本発明の他の実施形態の第２の例によると、スクロールされるべきイメージがこれ以上存在しないことを示すメッセージを表示することにより、該イメージを含むギャラリーに対するスクロールが終了したことを直観的にユーザに通知できるという利点がある。
【０１３０】
次いで、本、第２の具体例においても、ステップＳ２６０において、（第１の）終了効果を表わす上述のメッセージがタッチスクリーンから除去される。例えば、制御部１１０は、図１５（Ｂ）において、第２のレイヤーに表示された“Ｎｏ  ｍｏｒｅ  ｉｔｅｍ  ｆｏｒ  ｙｏｕ”のようなメッセージ７０４に対応する終了効果をタッチスクリーン１９０から除去する。
【０１３１】
次いで、ステップＳ２７０において、少なくとも１つのオブジェクトを変換する第２のジェスチャーが検出される。例えば、図１５（Ｂ）に示したように、上述の終了効果がステップＳ２６０において除去された後に、制御部１１０は、イメージを含むギャラリーである少なくとも１つのオブジェクトを、タッチスクリーン１９０の右方向にスクロールするドラッグ又はフリックのようなタッチ入力７１２に対応する第２のジェスチャーを検出する。
【０１３２】
次いで、ステップＳ２８０において、第２の終了効果がタッチスクリーン上の第２のレイヤーに表示される。
【０１３３】
例えば、制御部１１０は、図１５（Ｃ）に示すように、終了効果の一部として何らかの追加情報を表示できる。該追加情報は、現在実行中であるアプリケーションと関連した情報であり、図１５（Ｃ）に示すように、制御部１１０は、現在実行中であるアプリケーションであるギャラリーアプリケーションと関連した情報を終了効果として表示する。例えば、該ギャラリーアプリケーションと関連した情報は、新たに記憶されたイメージの数である。従って、図１５（Ｃ）に示すように、制御部１１０は、新たに記憶されたイメージの数が１２個であることを示す追加情報を“１２  Ｎｅｗ  ｉｍａｇｅｓ”のようなメッセージ７１４として表示する。
そして、“１２  Ｎｅｗ  ｉｍａｇｅｓ”のような追加情報のメッセージ７１４に対応する終了効果を、変換されるべき少なくとも１つのオブジェクトがこれ以上存在しない領域に対応するイメージの末端（ｔａｉｌ  ｅｎｄ）に、好ましくはボックスタイプ７１６内に表示する。
従って、本発明の他の実施形態の第２の具体例によると、終了効果が除去された後にイメージをスクロールするジェスチャーがさらに検出された場合に、イメージを含むギャラリーに対するスクロールが終了したことを直観的にユーザに通知できるだけでなく、同時に現在実行中であるアプリケーションと関連した情報を含む追加情報をユーザに通知できるという利点がある。
【０１３４】
図１６（Ａ）乃至（Ｃ）及び図１７（Ａ）、（Ｂ）は、本発明の他の実施形態の第３の具体例に従う終了効果を表示する場面を示す図である。
【０１３５】
図９をさらに参照すると、本発明の他の実施形態による終了効果を表示するモバイル装置の制御方法は、ステップＳ２１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第３の具体例においても、該少なくとも１つのオブジェクトは、少なくとも一つのイメージであり、より詳細には、該イメージの組合せからなる、ギャラリーである。
【０１３６】
図１６（Ａ）を参照すると、モバイル装置１００の制御部１１０は、ギャラリーとして形成された少なくとも１つのオブジェクトに属する任意のイメージをタッチスクリーン１９０上の第１のレイヤーに表示する。即ち、制御部１１０は、ギャラリーアプリケーションを実行し、該ギャラリーに属するイメージ８００を、ギャラリーアプリケーションの実行を通じてタッチスクリーン１９０上の第１のレイヤーに表示する。
【０１３７】
次いで、ステップＳ２２０において、制御部１１０は、ギャラリーとして形成された少なくとも１つのオブジェクトを変換する第１のジェスチャーを検出する。この時に、この変換は、該ギャラリーに属するイメージのうちの、第１のジェスチャーが検出された一つのイメージに対するスクロール、拡大、及び縮小のうちの何れか１つであり、ここでは、この変換は、拡大とする。この時に、この拡大は、イメージ８００を拡大してタッチスクリーン上に表示する動作を意味し、第１のジェスチャーは、少なくとも１つのオブジェクトを変換するタッチ入力であり、このタッチ入力は、少なくとも１つのオブジェクトを変換する少なくとも１回のタッチ、ドラッグ、又はフリックである。
例えば、図１６（Ａ）を参照すると、制御部１１０は、少なくとも１つのオブジェクトに属するイメージ８００を拡大する第１のジェスチャー８０２を検出する。即ち、制御部１１０は、イメージ８００を拡大するダブルタッチのようなタッチ入力を検出する。即ち、図１６（Ａ）に示すように、制御部１１０は、少なくとも１つのオブジェクトに属するイメージ８００を拡大するダブルタッチのようなタッチ入力８０２を検出する。
【０１３８】
次いで、ステップＳ２３０において、第１のジェスチャーに応じて少なくとも１つのオブジェクトを変換する。ここでは、図１６（Ｂ）に示すように、ダブルタッチのようなタッチ入力に対応する予め定められた変換は拡大であり、制御部１１０は、ダブルタッチのようなタッチ入力８０２に応じて、少なくとも１つのオブジェクトに属するイメージ８００を拡大する。即ち、図１６（Ｂ）に示すように、制御部１１０は、ダブルタッチのようなタッチ入力８０２に応じてイメージ８００を拡大する。
【０１３９】
次いで、ステップＳ２４０において制御部１１０は、少なくとも１つのオブジェクトに対する変換が終了したことを感知する。制御部１１０は、ステップＳ２３０で実行された少なくとも１つのオブジェクトに対する変換が終了したことを感知する。
【０１４０】
例えば、図１６（Ｂ）に示すように、複数のイメージを含むギャラリーである少なくとも１つのオブジェクトに属する任意のイメージ８００に対する拡大が実行されている間に、制御部１１０は、イメージ８００に対する拡大が終了したことを感知する。即ち、拡大されるイメージ８００がこれ以上拡大不能である場合に、制御部１１０は、イメージに対する拡大が終了したことを感知する。即ち、図１６（Ａ）においては、拡大されるイメージ８００が存在するので、余白８２０及び８２２が表示される。しかしながら、図１６（Ｂ）では、拡大されるイメージ８００がこれ以上拡大不能であるので、余白が表示されない。従って、拡大されるイメージ８００がこれ以上拡大不能であり、従って、余白が存在しない場合には、イメージ８００に対する拡大が終了したことを感知できる。
【０１４１】
次いで、少なくとも１つのオブジェクトに対する変換が終了すると、ステップＳ２５０において制御部１１０は、終了効果をタッチスクリーン上の第２のレイヤーに表示する。
【０１４２】
例えば、制御部１１０は、図１６（Ｃ）に示すように、終了効果として“変換されるべき少なくとも１つのオブジェクトがこれ以上存在しない”というメッセージ、例えば、“Ｎｏ  ｍｏｒｅ  ｓｐａｃｅ  ｆｏｒ  ｙｏｕ”のようなメッセージ８０４をタッチスクリーン上の第２のレイヤーに表示する。即ち、制御部１１０は、拡大すべきイメージがこれ以上拡大できないという意味で“Ｎｏ  ｍｏｒｅ  ｓｐａｃｅ  ｆｏｒ  ｙｏｕ”のようなメッセージ８０４を終了効果として表示する。そして、“Ｎｏ  ｍｏｒｅ  ｓｐａｃｅ  ｆｏｒ  ｙｏｕ”のようなメッセージ８０４に対応する終了効果を、変換されるべき少なくとも１つのオブジェクトがこれ以上拡大できないイメージの端部に、好ましくは、ボックスタイプ８０６内に表示する。従って、本発明の他の実施形態の第３の例によると、拡大するべきイメージがこれ以上拡大できないことを示すメッセージを表示することにより、該イメージに対する拡大が終了したことを直観的にユーザに通知できるという利点がある。
【０１４３】
次いで、終了効果は、ステップＳ２６０において、タッチスクリーンから除去される。例えば、制御部１１０は、図１７（Ａ）において、第２のレイヤーに表示された“Ｎｏ  ｍｏｒｅ  ｓｐａｃｅ  ｆｏｒ  ｙｏｕ”のようなメッセージ８０４に対応する終了効果をタッチスクリーン１９０から除去する。
【０１４４】
次いで、ステップＳ２７０において、少なくとも１つのオブジェクトを変換する第２のジェスチャーが検出される。例えば、図１７（Ａ）に示したように、終了効果がステップＳ２６０において除去された後に、制御部１１０は、イメージを含むギャラリーである少なくとも１つのオブジェクトに属するイメージのうち、前記タッチ入力されたイメージを拡大するダブルタッチのようなタッチ入力８１２に対応する第２のジェスチャーを検出する。
次いで、ステップＳ２８０において、第２の終了効果がタッチスクリーン上の第２のレイヤーに表示される。
【０１４５】
例えば、制御部１１０は、図１７（Ｂ）に示すように、第２の終了効果の一部として何らかの追加情報を表示できる。該追加情報は、現在実行中であるアプリケーションと関連した情報であり、図１７（Ｂ）に示すように、制御部１１０は、現在実行中であるアプリケーションであるギャラリーアプリケーションと関連した情報を終了効果として表示する。例えば、該ギャラリーアプリケーションと関連した情報は、新たに記憶されたイメージの数である。従って、図１７（Ｂ）に示すように、制御部１１０は、新たに記憶されたイメージの数が１２個であることを示す追加情報を“１２  Ｎｅｗ  ｉｍａｇｅｓ”のようなメッセージ８１４として表示する。
そして、“１２  Ｎｅｗ  ｉｍａｇｅｓ”  のような追加情報のメッセージ８１４に対応する終了効果を、変換されるべき（即ち、拡大するべき）余白ががこれ以上存在しない前記イメージの端部に、好ましくはボックスタイプ８１６内に表示する。
従って、本発明の他の実施形態の第３の例によると、終了効果が除去された後にイメージを拡大するジェスチャーがさらに検出された場合に、イメージに対する拡大が終了したことを直観的にユーザに通知できるだけでなく、同時に現在実行中であるアプリケーションと関連した情報を含む追加情報をユーザに通知できるという利点がある。
以上、本、第３の具体例では、ギャラリーとして形成された少なくとも１つのオブジェクトに属するイメージのうち、第１のジェスチャー（即ち、タッチ入力）がなされたイメージに対してのみ変換（拡大）が実行されるとしたが、別のタッチ入力を選択すると、以降のイメージ全てに対して同様の変換が実行されるようにできることは言うまでもない。
【０１４６】
図１８（Ａ）乃至（Ｃ）は、本発明の一実施形態の第４の具体例に従う終了効果を表示する場面を示す図である。
【０１４７】
図４をさらに参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第４の具体例では、少なくとも１つのオブジェクトは、少なくとも１つのタブであり、より詳細には、この少なくとも１つのタブを組合わせて形成された、タブリストである。
【０１４８】
図１８（Ａ）を参照すると、モバイル装置１００の制御部１１０は、タブリストとして形成された少なくとも１つのオブジェクトをタッチスクリーン１９０上の第１のレイヤーに表示する。本、第４の例では、制御部１１０は、時計アプリケーションを実行し、このタブリストは、時計アプリケーションの実行を通じてタッチスクリーン１９０上の第１のレイヤーに表示される。
【０１４９】
次いで、ステップＳ１２０において、少なくとも１つのオブジェクトを変換する第１のジェスチャーが検出される。この時に、この変換は、スクロール、拡大、及び縮小のうちの何れか１つであるが、ここでは、この変換はスクロールとする。この時に、このスクロールは、タッチスクリーン上に表示されるべき少なくとも１つのオブジェクトを移動する動作を意味する。また、第１のジェスチャーは、少なくとも１つのオブジェクトを変換するタッチ入力であり、該タッチ入力は、少なくとも１つのオブジェクトを変換する少なくとも１回のタッチ、ドラッグ、又はフリックである。
例えば、図１８（Ａ）を参照すると、制御部１１０は、少なくとも１つのオブジェクトであるタブリストをスクロールする第１のジェスチャーを検出する。即ち、制御部１１０は、タブリストをスクロールするドラッグ又はフリックのようなタッチ入力９０２を検出する。即ち、図１８（Ａ）に示すように、制御部１１０は、タブリストである少なくとも１つのオブジェクトをタッチスクリーン１９０の左方向にスクロールするドラッグ又はフリックのようなタッチ入力９０２を検出する。
【０１５０】
次いでステップＳ１３０において、制御部１１０は、少なくとも１つのオブジェクトを第１のジェスチャーに応じて変換する。例えば、図１８（Ｂ）に示すように、ドラッグ又はフリックのようなタッチ入力に対応する予め定められた変換は、スクロールであり、制御部１１０は、ドラッグ又はフリックのようなタッチ入力に応じてタブリストのような少なくとも１つのオブジェクトをスクロールする。即ち、図１８（Ｂ）に示すように、制御部１１０は、左方向のドラッグ又はフリックのようなタッチ入力９０２に応じてタブリストをタッチスクリーン１９０の左方向にスクロールする。
【０１５１】
次いで、ステップＳ１４０において、少なくとも１つのオブジェクトに対する変換が終了したことを感知して、制御部１１０は、上述したステップＳ１３０で実行された少なくとも１つのオブジェクトに対する変換が終了したことを感知する。
【０１５２】
例えば、図１８（Ｂ）に示すように、タブリストである少なくとも１つのオブジェクトに対するスクロールが実行されている間に、制御部１１０は、該タブリストに対するスクロールが終了したことを感知する。即ち、表示されるべきタブがこれ以上存在しない場合に、制御部１１０は、タブリストに対するスクロールが終了したことを感知する。
【０１５３】
次いで、少なくとも１つのオブジェクトに対する変換（即ち、スクロール）が終了する場合に、ステップＳ１５０において制御部１１０は、何らかの終了効果を、タッチスクリーン上の上述の第２のレイヤーに表示する。
本、第４の具体例では、制御部１１０は、図１８（Ｃ）に示すように、終了効果の一部として追加情報を表示し、該追加情報は、モバイル装置の現在の状態と関連した情報であり、図１８（Ｃ）に示すように、制御部１１０は、モバイル装置の現在の状態と関連した情報を終了効果として表示する。例えば、モバイル装置の現在の状態と関連した情報は、アップデートが完了したアプリケーションの個数であり、図１８（Ｃ）に例示するように、制御部１１０は、アップデートが完了したアプリケーションの個数が２３個であるという追加情報を“２３  ｕｐｄａｔｅｄ”のようなメッセージ９０４として表示する。そして、“２３  ｕｐｄａｔｅｄ”のような追加情報メッセージ９０４に対応する終了効果は、変換されるべき少なくとも１つのオブジェクトがこれ以上存在しない領域に対応するタブの右方に、好ましくはボックスタイプ９０６内に表示される。
従って、本、第４の具体例によると、モバイル装置の現在の状態と関連した情報を含む終了効果を表示することにより、タブリストに対するスクロールが終了したことを直観的にユーザに通知できるだけでなく、同時に現在実行中であるアプリケーションと関連した情報を含む追加情報をユーザに通知できるという利点がある。
【０１５４】
図１９（Ａ）乃至（Ｃ）は、本発明の一実施形態の第５の具体例に従う終了効果を表示する場面を示す図である。
【０１５５】
図４をさらに参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第５の具体例では、少なくとも１つのオブジェクトは、少なくとも１つの項目であり、より詳細には、この少なくとも１つの項目を組合わせて形成された項目リストである。
【０１５６】
図１９（Ａ）を参照すると、モバイル装置１００の制御部１１０は、項目リストとして形成された少なくとも１つのオブジェクトをタッチスクリーン１９０上の第１のレイヤーに表示する。本、第４の具体例では、制御部１１０は、アプリケーションを購買するアプリケーションを実行し、この項目リストは、アプリケーションを購買するアプリケーションの実行を通じてタッチスクリーン１９０上の第１のレイヤーに表示される。
【０１５７】
次いで、ステップＳ１２０において、少なくとも１つのオブジェクトを変換する第１のジェスチャーが検出される。この時に、この変換は、スクロール、拡大、及び縮小のうちの何れか１つであるが、ここでは、この変換はスクロールとする。この時に、このスクロールは、タッチスクリーン上に表示されるべき少なくとも１つのオブジェクトを移動する動作を意味する。また、第１のジェスチャーは、少なくとも１つのオブジェクトを変換するタッチ入力であり、該タッチ入力は、少なくとも１つのオブジェクトを変換する少なくとも１回のタッチ、ドラッグ、又はフリックである。
例えば、図１９（Ａ）を参照すると、制御部１１０は、少なくとも１つのオブジェクトである項目リストをスクロールする第１のジェスチャーを検出する。即ち、制御部１１０は、項目リストをスクロールするドラッグ又はフリックのようなタッチ入力１００２を検出する。即ち、図１９（Ａ）に示すように、制御部１１０は、項目リストである少なくとも１つのオブジェクトをタッチスクリーン１９０の上方向にスクロールするドラッグ又はフリックのようなタッチ入力１００２を検出する。
【０１５８】
次いでステップＳ１３０において、制御部１１０は、第１のジェスチャーに応じて少なくとも１つのオブジェクトを変換する。例えば、図１９（Ｂ）に示すように、ドラッグ又はフリックのようなタッチ入力に対応する予め定められた変換は、スクロールであり、制御部１１０は、ドラッグ又はフリックのようなタッチ入力に応じて項目リストのような少なくとも１つのオブジェクトをスクロールする。即ち、図１９（Ｂ）に示すように、制御部１１０は、上方向のドラッグ又はフリックのようなタッチ入力１００２に応じて項目リストをタッチスクリーン１９０の上方向にスクロールする。
【０１５９】
次いで、ステップＳ１４０において、少なくとも１つのオブジェクトに対する変換が終了したことを感知して、制御部１１０は、上述したステップＳ１３０で実行された少なくとも１つのオブジェクトに対する変換が終了したことを感知する。
【０１６０】
例えば、図１９（Ｂ）に示すように、項目リストである少なくとも１つのオブジェクトに対するスクロールが実行されている間に、制御部１１０は、この項目リストに対するスクロールが終了したことを感知する。即ち、制御部１１０は、表示されるべき項目がこれ以上存在しない場合に、この項目リストに対するスクロールが終了したことを感知する。
【０１６１】
次いで、ステップＳ１５０において、少なくとも１つのオブジェクトに対する変換（即ち、スクロール）が終了する場合に、制御部１１０は、何らかの終了効果をタッチスクリーン上の上述の第２のレイヤーに表示する。
【０１６２】
本、第５の具体例では、制御部１１０は、図１９（Ｃ）に示すように、終了効果として“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ１００４をタッチスクリーン上の第２のレイヤーに表示する。即ち、スクロールされる項目がこれ以上存在しないという意味で、“Ｎｏ  ｍｏｒｅ  ｉｔｅｍ  ｆｏｒ  ｙｏｕ”のようなメッセージ１００４を終了効果として表示する。また、“Ｎｏ  ｍｏｒｅ  ｉｔｅｍ  ｆｏｒ  ｙｏｕ”のようなメッセージ１００４に対応する終了効果は、変換されるべき少なくとも１つのオブジェクトがこれ以上存在しない領域に対応する項目リストの下端に、好ましくはボックスタイプ１００６内に表示される。
従って、本、第５の具体例によると、スクロールされる項目がこれ以上存在しないことを示すメッセージを表示することにより、項目リストに対するスクロールが終了したことを直観的にユーザに通知できるという利点がある。
【０１６３】
また、本、第５の具体例によると、制御部１１０は、図１９（Ｃ）に示すように、終了効果の一部として何らかの追加情報を表示できる。該追加情報は、現在実行中であるアプリケーションと関連した情報であり、図１９（Ｃ）に示すように、制御部１１０は、現在実行中であるアプリケーションと関連した情報を終了効果として表示する。例えば、現在実行中であるアプリケーションと関連した情報は、アプリケーションを購買するアプリケーションにおける無料アプリケーションの数及び有料アプリケーションの数であり、図１９（Ｃ）に例示するように、制御部１１０は、無料アプリケーションの数及び有料アプリケーションの数が各々８個及び３個という追加情報を‘“８”  Ｆｒｅｅ  ａｐｐｓ／“３”  ｐａｉｄ  ａｐｐｓ’として表示する。そして、‘“８”  Ｆｒｅｅ  ａｐｐｓ／“３”  ｐａｉｄ  ａｐｐｓ’のような追加情報メッセージ１００５に対応する終了効果は、変換されるべき少なくとも１つのオブジェクトがこれ以上存在しない領域に対応する項目リストの下方に、好ましくはボックスタイプ１００６内に表示される。
【０１６４】
従って、本、第５の具体例によると、現在実行中であるアプリケーションと関連した情報を含む終了効果を表示することにより、項目リストに対するスクロールが終了したことを直観的にユーザに通知できるだけでなく、同時に現在実行中であるアプリケーションと関連した情報を含む追加情報をユーザに通知できるという利点がある。
【０１６５】
図２０（Ａ）乃至（Ｃ）は、本発明の一実施形態の第６の具体例に従う終了効果を表示する場面を示す図である。
【０１６６】
図４をさらに参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第６の例では、少なくとも１つのオブジェクトは、少なくとも１つのビデオであり、より詳細には、この少なくとも１つのビデオを組合わせて形成されたビデオリストである。
【０１６７】
図２０（Ａ）を参照すると、モバイル装置１００の制御部１１０は、ビデオリストとして形成された少なくとも１つのオブジェクトをタッチスクリーン１９０上の第１のレイヤーに表示する。本、第６の例では、制御部１１０は、ビデオを購買するアプリケーションを実行し、アプリケーション実行スクリーンに対応するビデオリストを、アプリケーションを購買するアプリケーションの実行を通じてタッチスクリーン１９０上の第１のレイヤーに表示する。
【０１６８】
次いで、ステップＳ１２０において、少なくとも１つのオブジェクトを変換する第１のジェスチャーが検出される。この時に、この変換は、スクロール、拡大、及び縮小のうちの何れか１つであるが、ここでは、この変換はスクロールとする。この時に、このスクロールは、タッチスクリーン上に表示されるべき少なくとも１つのオブジェクトを移動する動作を意味する。また、第１のジェスチャーは、少なくとも１つのオブジェクトを変換するタッチ入力であり、該タッチ入力は、少なくとも１つのオブジェクトを変換する少なくとも１回のタッチ、ドラッグ、又はフリックである。
例えば、図２０（Ａ）を参照すると、制御部１１０は、少なくとも１つのオブジェクトであるビデオリストをスクロールする第１のジェスチャーを検出する。即ち、制御部１１０は、ビデオリストをスクロールするドラッグ又はフリックのようなタッチ入力１１０２を検出する。即ち、図２０（Ａ）に示すように、制御部１１０は、ビデオリストである少なくとも１つのオブジェクトをタッチスクリーン１９０の右方向にスクロールするドラッグ又はフリックのようなタッチ入力１１０２を検出する。
【０１６９】
次いで、ステップＳ１３０において、制御部１１０は、第１のジェスチャーに応じて少なくとも１つのオブジェクトを変換する。例えば、図２０（Ｂ）に示すように、ドラッグ又はフリックのようなタッチ入力に対応する予め定められた変換は、スクロールであり、制御部１１０は、ドラッグ又はフリックのようなタッチ入力に応じてビデオリストのような少なくとも１つのオブジェクトをスクロールする。即ち、図２０（Ｂ）に示すように、制御部１１０は、右方向のドラッグ又はフリックのようなタッチ入力１１０２に応じてビデオリストをタッチスクリーン１９０の右方向にスクロールする。
【０１７０】
次いで、ステップＳ１４０において、少なくとも１つのオブジェクトに対する変換が終了したことを感知して、制御部１１０は、上述したステップＳ１３０で実行された少なくとも１つのオブジェクトに対する変換が終了したことを感知する。
【０１７１】
例えば、図２０（Ｂ）に示すように、ビデオリストである少なくとも１つのオブジェクトに対するスクロールが実行されている間に、制御部１１０は、このビデオリストに対するスクロールが終了したことを感知する。即ち、制御部１１０は、表示されるべきビデオがこれ以上存在しない場合に、このビデオリストに対するスクロールが終了したことを感知する。
【０１７２】
次いで、ステップＳ１５０において、少なくとも１つのオブジェクトに対する変換（即ち、スクロール）が終了する場合に、制御部１１０は、何らかの終了効果をタッチスクリーン上の上述の第２のレイヤーに表示する。
【０１７３】
本、第６の具体例では、制御部１１０は、図２０（Ｃ）に示すように、終了効果として“変換されるべき少なくとも１つのオブジェクトがこれ以上存在しない”というメッセージ、例えば、“Ｎｏ  ｉｔｅｍ”のようなメッセージ１１０４をタッチスクリーン上の第２のレイヤーに表示する。即ち、スクロールされるべき項目がこれ以上存在しないという意味で“Ｎｏ  ｉｔｅｍ”のようなメッセージ１１０４を終了効果として表示する。また、“Ｎｏ  ｉｔｅｍ”のようなメッセージ１１０４に対応する終了効果は、変換されるべき少なくとも１つのオブジェクトがこれ以上存在しない領域に対応するビデオリストの左方に、好ましくはボックスタイプ１１０６内に表示される。
従って、本、第６の具体例によると、スクロールされるべきビデオリストがこれ以上存在しないことを示すメッセージを表示することにより、ビデオリストに対するスクロールが終了したことを直観的にユーザに通知できるという利点がある。
【０１７４】
また、本、第６の具体例によると、制御部１１０は、図２０（Ｃ）に示すように、終了効果の一部として何らかの追加情報を表示できる。該追加情報は、現在実行中であるアプリケーションと関連した情報であり、図２０（Ｃ）に示すように、制御部１１０は、現在実行中であるアプリケーションと関連した情報を終了効果として表示できる。例えば、現在実行中であるアプリケーションと関連した情報は、該アプリケーションを好むと選択した人の数であり、図２０（Ｃ）に示すように、制御部１１０は、該アプリケーションを好むと選択した人の数が１３８であるという追加情報を‘“１３８  Ｌｉｋｅ  ｔｈｉｓ”’として表示する。そして、‘“１３８”  Ｌｉｋｅ  ｔｈｉｓ’のような追加情報メッセージ１１０５に対応する終了効果は、変換されるべき少なくとも１つのオブジェクトがこれ以上存在しない領域に対応するビデオリストの左方に、好ましくはボックスタイプ１１０６内に表示される。
【０１７５】
従って、本、第６の具体例によると、現在実行中であるアプリケーションと関連した情報を含む終了効果を表示することにより、ビデオリストに対するスクロールが終了したことを直観的にユーザに通知できるだけでなく、同時に現在実行中であるアプリケーションと関連した情報を含む追加情報をユーザに通知できるという利点がある。
【０１７６】
図２１（Ａ）乃至（Ｃ）は、本発明の一実施形態の第７の具体例に従う終了効果を表示する場面を示す図である。
【０１７７】
図４をさらに参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第７の具体例では、少なくとも１つのオブジェクトは、少なくとも１つのオーディオであり、より詳細には、この少なくとも１つのオーディオを組合わせて形成されたオーディオリストである。
【０１７８】
図２１（Ａ）を参照すると、モバイル装置１００の制御部１１０は、オーディオリストとして形成された少なくとも１つのオブジェクトをタッチスクリーン１９０上の第１のレイヤーに表示する。即ち、制御部１１０は、音楽アプリケーションを実行し、音楽アプリケーションの実行を通じてオーディオリストをタッチスクリーン１９０上の第１のレイヤーに表示する。
【０１７９】
次いで、ステップＳ１２０において、少なくとも１つのオブジェクトを変換する第１のジェスチャーが検出される。この時に、この変換は、スクロール、拡大、及び縮小のうちの何れか１つであるが、ここでは、この変換は、スクロールとする。この時に、このスクロールは、タッチスクリーン上に表示されるべき少なくとも１つのオブジェクトを移動する動作を意味する。また、第１のジェスチャーは、少なくとも１つのオブジェクトを変換するタッチ入力であり、該タッチ入力は、少なくとも１つのオブジェクトを変換する少なくとも１回のタッチ、ドラッグ、又はフリックである。
例えば、図２１（Ａ）を参照すると、制御部１１０は、少なくとも１つのオブジェクトであるオーディオリストをスクロールする第１のジェスチャーを検出する。即ち、制御部１１０は、オーディオリストをスクロールするドラッグ又はフリックのようなタッチ入力１２０２を検出する。即ち、図２１（Ａ）に示すように、制御部１１０は、オーディオリストである少なくとも１つのオブジェクトをタッチスクリーン１９０の下方向にスクロールするドラッグ又はフリックのようなタッチ入力１２０２を検出する。
【０１８０】
次いで、ステップＳ１３０において、制御部１１０は、第１のジェスチャーに応じて少なくとも１つのオブジェクトを変換する。例えば、図２１（Ｂ）に示すように、ドラッグ又はフリックのようなタッチ入力に対応する予め定められた変換は、スクロールであり、制御部１１０は、ドラッグ又はフリックのようなタッチ入力に応じてオーディオリストのような少なくとも１つのオブジェクトをスクロールする。即ち、図２１（Ｂ）に示すように、制御部１１０は、下方向のドラッグ又はフリックのようなタッチ入力１２０２に応じてオーディオリストをタッチスクリーン１９０の下方向にスクロールする。
【０１８１】
次いで、ステップＳ１４０において、少なくとも１つのオブジェクトに対する変換が終了したことを感知して、制御部１１０は、上述したステップＳ１３０で実行された少なくとも１つのオブジェクトに対する変換が終了したことを感知する。
【０１８２】
例えば、図２１（Ｂ）に示すように、オーディオリストである少なくとも１つのオブジェクトに対するスクロールが実行されている間に、制御部１１０は、このオーディオリストに対するスクロールが終了したことを感知する。即ち、制御部１１０は、表示されるべきオーディオがこれ以上存在しない場合に、このオーディオリストに対するスクロールが終了したことを感知する。
【０１８３】
次いで、ステップＳ１５０において、少なくとも１つのオブジェクトに対する変換（即ち、スクロール）が終了する場合に、制御部１１０は、何らかの終了効果をタッチスクリーン上の上述の第２のレイヤーに表示する。
【０１８４】
本、第７の具体例では、制御部１１０は、図２１（Ｃ）に示すように、終了効果として“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ１２０４をタッチスクリーン上の第２のレイヤーに表示する。即ち、スクロールされるべき項目がこれ以上存在しないという意味で“Ｎｏ  ｍｏｒｅ  ｉｔｅｍ  ｆｏｒ  ｙｏｕ”のようなメッセージ１２０４を終了効果として表示する。また、“Ｎｏ  ｍｏｒｅ  ｉｔｅｍ  ｆｏｒ  ｙｏｕ”のようなメッセージ１２０４に対応する終了効果は、変換されるべき少なくとも１つのオブジェクトがこれ以上存在しない領域に対応するオーディオリストの上方に、好ましくはボックスタイプ１２０６内に表示される。
従って、本、第７の具体例によると、スクロールされるべきオーディオリストがこれ以上存在しないことを示すメッセージを表示することにより、スクロールが終了したことを直観的にユーザに通知できるという利点がある。
【０１８５】
また、本、第７の具体例によると、制御部１１０は、図２１（Ｃ）に示すように、終了効果の一部として何らかの追加情報を表示できる。該追加情報は、現在実行中であるアプリケーションと関連した情報であり、図２１（Ｃ）に示すように、制御部１１０は、現在実行中であるアプリケーションと関連した情報を終了効果として表示できる。例えば、現在実行中であるアプリケーションと関連した情報は、現在再生中であるオーディオのタイトルであり、図２１（Ｃ）に示すように、制御部１１０は、現在再生中であるオーディオのタイトルが“Ｓｅｘｙ  ｂａｂｙ”という追加情報を‘Ｒｅｃｅｎｔ  ｍｕｓｉｃ  ｉｓ  “Ｓｅｘｙ  ｂａｂｙ”’のようなメッセージ１２０５として表示する。そして、‘Ｒｅｃｅｎｔ  ｍｕｓｉｃ  ｉｓ  “Ｓｅｘｙ  ｂａｂｙ”’のような追加情報メッセージ１２０５に対応する終了効果は、変換されるべき少なくとも１つのオブジェクトがこれ以上存在しない領域に対応するオーディオリストの上方に、好ましくはボックスタイプ１２０６内に表示される。
【０１８６】
従って、本、第７の具体例によると、現在実行中であるアプリケーションと関連した情報を含む終了効果を表示することにより、オーディオリストに対するスクロールが終了したことを直観的にユーザに通知できるだけでなく、同時に現在実行中であるアプリケーションと関連した情報を含む追加情報をユーザに通知できるという利点がある。
【０１８７】
図２２（Ａ）乃至（Ｃ）は、本発明の一実施形態の第８の例に従う終了効果を表示する場面を示す図である。
【０１８８】
図４をさらに参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第８の具体例では、少なくとも１つのオブジェクトは、少なくとも１つの項目であり、より詳細には、この少なくとも１つの項目を組合わせて形成された項目リストであり、ここでは項目は、特にブルートゥース（登録商標）アイテムである。
【０１８９】
図２２（Ａ）を参照すると、モバイル装置１００の制御部１１０は、項目リストとして形成された少なくとも１つのオブジェクトをタッチスクリーン１９０上の第１のレイヤーに表示する。即ち、制御部１１０は、ブルートゥース設定アプリケーションを実行し、ブルートゥース設定アプリケーションの実行を通じてブルートゥースと関連した項目リストをタッチスクリーン１９０上の第１のレイヤーに表示する。
【０１９０】
次いで、ステップＳ１２０において、少なくとも１つのオブジェクトを変換する第１のジェスチャーが検出される。この時に、この変換は、スクロール、拡大、及び縮小のうちの何れか１つであるが、ここでは、この変換は、スクロールとする。この時に、このスクロールは、タッチスクリーン上に表示されるべき少なくとも１つのオブジェクトを移動する動作を意味する。また、第１のジェスチャーは、少なくとも１つのオブジェクトを変換するタッチ入力であり、該タッチ入力は、少なくとも１つのオブジェクトを変換する少なくとも１回のタッチ、ドラッグ、又はフリックである。
例えば、図２２（Ａ）を参照すると、制御部１１０は、少なくとも１つのオブジェクトである項目リストをスクロールする第１のジェスチャーを検出する。即ち、制御部１１０は、項目リストをスクロールするドラッグ又はフリックのようなタッチ入力１３０２を検出する。即ち、図２２（Ａ）に示すように、制御部１１０は、項目リストである少なくとも１つのオブジェクトをタッチスクリーン１９０の下方向にスクロールするドラッグ又はフリックのようなタッチ入力１３０２を検出する。
【０１９１】
次いで、ステップＳ１３０において、制御部１１０は、第１のジェスチャーに応じて少なくとも１つのオブジェクトを変換する。例えば、図２２（Ｂ）に示すように、ドラッグ又はフリックのようなタッチ入力に対応する予め定められた変換は、スクロールであり、制御部１１０は、ドラッグ又はフリックのようなタッチ入力に応じて項目リストのような少なくとも１つのオブジェクトをスクロールする。即ち、図２２（Ｂ）に示すように、制御部１１０は、下方向のドラッグ又はフリックのようなタッチ入力１３０２に応じて項目リストをタッチスクリーン１９０の下方向にスクロールする。
【０１９２】
次いで、ステップＳ１４０において、少なくとも１つのオブジェクトに対する変換が終了したことを感知して、制御部１１０は、上述したステップＳ１３０で実行された少なくとも１つのオブジェクトに対する変換が終了したことを感知する。
【０１９３】
例えば、図２２（Ｂ）に示すように、項目リストである少なくとも１つのオブジェクトに対するスクロールが実行されている間に、制御部１１０は、この項目リストに対するスクロールが終了したことを感知する。即ち、制御部１１０は、表示されるべき項目がこれ以上存在しない場合に、この項目リストに対するスクロールが終了したことを感知する。
【０１９４】
次いで、ステップＳ１５０において、少なくとも１つのオブジェクトに対する変換（即ち、スクロール）が終了する場合に、制御部１１０は、何らかの終了効果をタッチスクリーン上の上述の第２のレイヤーに表示する。
【０１９５】
本、第８の具体例では、制御部１１０は、図２２（Ｃ）に示すように、終了効果として“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ１３０４をタッチスクリーン上の第２のレイヤーに表示する。即ち、スクロールされるべき項目がこれ以上存在しないという意味で“Ｎｏ  ｍｏｒｅ  ｉｔｅｍ  ｆｏｒ  ｙｏｕ”のようなメッセージ１３０４を終了効果として表示する。また、“Ｎｏ  ｍｏｒｅ  ｉｔｅｍ  ｆｏｒ  ｙｏｕ”のようなメッセージ１３０４に対応する終了効果は、変換されるべき少なくとも１つのオブジェクトがこれ以上存在しない領域に対応する項目リストの上方に、好ましくはボックスタイプ１３０６内に表示される。
従って、本、第８の具体例によると、スクロールされるべき項目リストがこれ以上存在しないことを示すメッセージを表示することにより、項目リストに対するスクロールが終了したことを直観的にユーザに通知できるという利点がある。
【０１９６】
また、本、第８の具体例によると、制御部１１０は、図２２（Ｃ）に示すように、終了効果の一部として何らかの追加情報を表示できる。該追加情報は、現在実行中であるアプリケーションと関連した情報であり、図２２（Ｃ）に示すように、制御部１１０は、現在実行中であるアプリケーションと関連した情報を終了効果として表示できる。例えば、現在実行中であるアプリケーションと関連した情報は、ブルートゥースの現在の速度であり、図２２（Ｃ）に示すように、制御部１１０は、ブルートゥースの現在の速度が１５ｍｂであるという追加情報を‘ＳＣＨ−Ｍ１８０’ｓ  ｓｐｅｅｄ  ｉｓ  “１５ｍｂ”’のようなメッセージ１３０５として表示する。そして、‘ＳＣＨ−Ｍ１８０’ｓ  ｓｐｅｅｄ  ｉｓ  “１５ｍｂ”’のような追加情報メッセージ１３０５に対応する終了効果は、変換されるべき少なくとも１つのオブジェクトがこれ以上存在しない領域に対応する項目リストの上方に、好ましくはボックスタイプ１３０６内に表示される。
【０１９７】
従って、本、第８の具体例によると、現在実行中であるアプリケーションと関連した情報を含む終了効果を表示することにより、項目リストに対するスクロールが終了したことを直観的にユーザに通知できるだけでなく、同時に現在実行中であるアプリケーションと関連した情報を含む追加情報をユーザに通知できるという利点がある。
【０１９８】
図２３（Ａ）乃至（Ｃ）は、本発明の一実施形態の第９の例に従う終了効果を表示する場面を示す図である。
【０１９９】
図４をさらに参照すると、本発明の一実施形態による終了効果を表示するモバイル装置の制御方法は、ステップＳ１１０において、少なくとも１つのオブジェクトをタッチスクリーン上の第１のレイヤーに表示する。即ち、モバイル装置１００の制御部１１０は、少なくとも１つのオブジェクトをタッチスクリーン上の第１のレイヤーに表示する。また、少なくとも１つのオブジェクトは、ウェブページ、連絡先、イメージ、テキスト、ビデオ、オーディオ、アイコン、項目、タブ、又はこれらの組合せで形成される。
本、第９の具体例では、少なくとも１つのオブジェクトは、暗記用コンテンツ（下記で説明される）をユーザが選択するためのウェブページである。
【０２００】
図２３（Ａ）を参照すると、暗記用コンテンツの選択条件が選択されるスクリーンが例示される。モバイル装置１００の制御部１１０は、タッチスクリーン１９０上に表示されたアイコンをユーザが選択的に検出することにより暗記用コンテンツに対する選択を受信する。例えば、図２３（Ａ）に示すように、制御部１１０は、終了効果設定ウィンドウ（Ｅｎｄ  Ｅｆｆｅｃｔ  Ｓｅｔｔｉｎｇｓ）１４００において、スタディー（ｓｔｕｄｙ）１４１０の設定を通じてボキャブラリ（Ｖｏｃａｂｕｌａｒｙ）１４２０のうちのＴＯＥＩＣ＿ＶＯＣＡ（１４２２）及びＴＯＥＦＬ＿ＶＯＣＡ（１４２４）というアイコンをユーザがチェックしたことを検出する。また、センテンス１４３０には、日本語１４３２及び中国語１４３４が含まれ得る。
【０２０１】
図２３（Ｂ）を参照すると、モバイル装置１００の制御部１１０は、前述の図２３（Ａ）において選択された暗記用コンテンツの選択条件に基づき、暗記用コンテンツを選択し、該暗記用コンテンツが掲示されたウェブページとして形成された少なくとも１つのオブジェクトを、タッチスクリーン１９０上の第１のレイヤーに表示する。即ち、制御部１１０は、ウェブブラウザーアプリケーションを実行し、ウェブブラウザーアプリケーションの実行を通じてウェブページをタッチスクリーン１９０上の第１のレイヤーに表示する。
【０２０２】
次いで、ステップＳ１２０において、少なくとも１つのオブジェクトを変換する第１のジェスチャーが検出される。この時に、この変換は、スクロール、拡大、及び縮小のうちの何れか１つであるが、ここでは、この変換は、スクロールとする。この時に、このスクロールは、タッチスクリーン上に表示されるべき少なくとも１つのオブジェクトを移動する動作を意味する。また、第１のジェスチャーは、少なくとも１つのオブジェクトを変換するタッチ入力であり、該タッチ入力は、少なくとも１つのオブジェクトを変換する少なくとも１回のタッチ、ドラッグ、又はフリックである。
例えば、図２３（Ｂ）を参照すると、制御部１１０は、少なくとも１つのオブジェクトであるウェブページをスクロールする第１のジェスチャーを検出する。即ち、制御部１１０は、ウェブページをスクロールするドラッグ又はフリックのようなタッチ入力１４０２を検出する。即ち、図２３（Ｂ）に示すように、制御部１１０は、ウェブページである少なくとも１つのオブジェクトをタッチスクリーン１９０の下方向にスクロールするドラッグ又はフリックのようなタッチ入力１４０２を検出する。
【０２０３】
次いで、ステップＳ１３０において、制御部１１０は、第１のジェスチャーに応じて少なくとも１つのオブジェクトを変換する。例えば、図２３（Ｂ）に示すように、ドラッグ又はフリックのようなタッチ入力に対応する予め定められた変換は、スクロールであり、制御部１１０は、ドラッグ又はフリックのようなタッチ入力に応じてウェブページのような少なくとも１つのオブジェクトをスクロールすることができる。即ち、図２３（Ｂ）に示すように、制御部１１０は、下方向のドラッグ又はフリックのようなタッチ入力１４０２に応じてウェブページをタッチスクリーン１９０の下方向にスクロールする。
【０２０４】
次いで、ステップＳ１４０において、少なくとも１つのオブジェクトに対する変換が終了したことを感知して、制御部１１０は、上述したステップＳ１３０で実行された少なくとも１つのオブジェクトに対する変換が終了したことを感知する。
【０２０５】
例えば、図２３（Ｂ）に示すように、ウェブページである少なくとも１つのオブジェクトに対するスクロールが実行されている間に、制御部１１０は、このウェブページに対するスクロールが終了したことを感知する。即ち、制御部１１０は、表示されるべきウェブページがこれ以上存在しない場合に、このウェブページに対するスクロールが終了したことを感知する。
【０２０６】
次いで、ステップＳ１５０において、少なくとも１つのオブジェクトに対する変換が終了する場合に、制御部１１０は、何らかの終了効果をタッチスクリーン上の上述の第２のレイヤーに表示する。
【０２０７】
例えば、制御部１１０は、図２３（Ｃ）に示すように、終了効果として“変換されるべき少なくとも１つのオブジェクトがこれ以上存在しない”というメッセージ、例えば、“Ｎｏ  ｍｏｒｅ  ｉｔｅｍ  ｆｏｒ  ｙｏｕ”のようなメッセージ１４０４をタッチスクリーン上の第２のレイヤーに表示する。即ち、スクロールされるべきウェブページがこれ以上存在しないという意味で“Ｎｏ  ｍｏｒｅ  ｉｔｅｍ  ｆｏｒ  ｙｏｕ”のようなメッセージ１４０４を終了効果として表示する。また、“Ｎｏ  ｍｏｒｅ  ｉｔｅｍ  ｆｏｒ  ｙｏｕ”のようなメッセージ１４０４に対応する終了効果は、変換されるべき少なくとも１つのオブジェクトがこれ以上存在しない領域に対応するウェブページの上端に、好ましくはボックスタイプ１４０６内に表示される。
従って、本、第９の具体例によると、スクロールされるべきウェブページがこれ以上存在しないことを示すメッセージを表示することにより、ウェブページに対するスクロールが終了したことを直観的にユーザに通知できるという利点がある。
【０２０８】
また、本、第９の具体例によると、制御部１１０は、図２３（Ｃ）に示すように、終了効果の一部として何らかの追加情報を表示できる。該追加情報は、暗記用コンテンツと関連した情報であり、図２３（Ｃ）に示すように、制御部１１０は、暗記用コンテンツを終了効果として表示できる。例えば、暗記用コンテンツが、図２３（Ａ）で選択されたように、ＴＯＥＩＣ  ＶＯＣＡ及びＴＯＥＦＬ  ＶＯＣＡである場合、図２３（Ｃ）に示すように、制御部１１０は、暗記用コンテンツである追加情報をＴＯＥＩＣ  ＶＯＣＡ及びＴＯＥＦＬ  ＶＯＣＡの一例として“Ｅｒａｄｉｃａｔｅ”（根絶）のようなメッセージ１４０５として表示する。そして、“Ｅｒａｄｉｃａｔｅ”のようなメッセージ１４０５の追加情報に対応する終了効果は、変換されるべき少なくとも１つのオブジェクトがこれ以上存在しない領域に対応するウェブページの上端に、好ましくはボックスタイプ１４０６内に表示される。
【０２０９】
従って、本、第９の具体例によると、暗記用コンテンツと関連した追加情報を含む終了効果を表示することにより、ウェブページに対するスクロールが終了したことを直観的にユーザに通知できるだけでなく、同時に暗記用コンテンツを含む追加情報をユーザに通知ができるという利点がある。
【０２１０】
本発明の各実施形態は、ハードウェア、ソフトウェア、又はハードウェア及びソフトウェアの組合せの形態で具現できる。その際、このような任意のソフトウェアは、例えば、削除又は再記録が可能であるか否かに関係なく、各種の揮発性又は非揮発性記憶装置、即ち、ＲＯＭ又はＲＡＭを含むメモリチップを備える装置或いは集積回路、若しくはＣＤ、ＤＶＤ、磁気ディスク又は磁気テープなどの光学的に或いは磁気的に読み取り可能な媒体に記憶させることができる。ここでこれらは何れも、本発明の実施形態を具現する命令語を含む一又は複数のプログラムを格納するのに適合した、機械（コンピュータ）が可読な記憶装置又は記憶媒体である。従って、本発明は、本願の任意の請求項に記載された装置又は方法を具現するためのコードを含むプログラム、及びこのようなプログラムを格納する機械（コンピュータ）可読な記憶媒体を包含する。また、このようなプログラムは、有線又は無線接続を通じて送信される通信信号のような任意の媒体を通じて電子的に移送され、本発明は、このプログラムと均等なものを適切に含む。
【０２１１】
また、電子装置は、有線又は無線で接続されたプログラム提供装置からプログラムを受信し格納できる。プログラム提供装置は、本発明の実施形態を実行するための命令語を含むプログラムと、本発明の実施形態に必要な情報などを記憶するためのメモリと、電子装置との有線又は無線通信を実行するための通信部と、電子装置の要請又は自動で対応するプログラムを送受信装置に送信する制御部とを含む。
【０２１２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【０２１３】
１００  モバイル装置
１００ａ  モバイル装置の前面
１００ｂ  モバイル装置の側面
１００ｃ  モバイル装置の後面
１１０  制御部
１１１  ＣＰＵ
１１２  ＲＯＭ
１１３  ＲＡＭ
１２０  移動通信モジュール
１３０  サブ通信モジュール
１３１  無線ＬＡＮモジュール
１３２  近距離通信モジュール
１４０  マルチメディアモジュール
１４１  ブロードキャスティング通信モジュール
１４１ａ  ＤＭＢアンテナ
１４２  オーディオ再生モジュール
１４３  動映像再生モジュール
１５０  カメラモジュール
１５１  第１のカメラ
１５２  第２のカメラ
１５３  フラッシュ
１５５  ＧＰＳモジュール
１６０  入出力モジュール
１６１  ボタン
１６１ａ  ホームボタン
１６１ｂ  メニューボタン
１６１ｃ  バックボタン
１６１ｄ  電源／リセットボタン
１６１ｅ  ボリュームボタン
１６２  マイクロフォン
１６３  スピーカ
１６４  振動モータ
１６５  コネクタ
１６６  キーパッド
１６７  イヤホン接続ジャック
１７０  センサモジュール
１７０ａ  照度センサ
１７０ｂ  近接センサ
１７５  記憶部
１８０  電源供給部
１９０  表示部、タッチスクリーン
１９１−１、−２、−３  短縮アイコン
１９１−４  アプリケーションスイッチキー
１９２  状態バー
１９５  ディスプレーコントローラ、タッチスクリーンコントローラ
２００、３００、４００、５００  ウェブページ
２０２、３０２、４０２、５０２、５１２、６０２、６１２、７０２、７１２、８０２、９０２、１００２、１１０２、１２０２、１３０２、１４０２  タッチ入力
２０４、３０４、４０４、４０８、５０４、５１４、６０４、６０５、６１４、６１５、７０４、７１４、８０４、８１４、９０４、１００４、１００５、１１０４、１１０５、１２０４、１２０５、１３０４、１３０５、１４０４、１４０５  メッセージ
２０６、３０６、４０６、４１０、５０６、５１６、６０６、６１６、７０６、８０６、８１６、９０６、１００６、１１０６、１２０６、１３０６、１４０６  ボックスタイプ
６００  連絡先リストアイコン
７２０、７３０、８００  イメージ
【図１】
2014110056.tif 000003
【図２】
2014110056.tif 000004
【図３】
2014110056.tif 000005
【図４】
2014110056.tif 000006
【図５】
2014110056.tif 000007
【図６】
2014110056.tif 000008
【図７】
2014110056.tif 000009
【図８】
2014110056.tif 000010
【図９】
2014110056.tif 000011
【図１０】
2014110056.tif 000012
【図１１】
2014110056.tif 000013
【図１２】
2014110056.tif 000014
【図１３】
2014110056.tif 000015
【図１４】
2014110056.tif 000016
【図１５】
2014110056.tif 000017
【図１６】
2014110056.tif 000018
【図１７】
2014110056.tif 000019
【図１８】
2014110056.tif 000020
【図１９】
2014110056.tif 000021
【図２０】
2014110056.tif 000022
【図２１】
2014110056.tif 000023
【図２２】
2014110056.tif 000024
【図２３】
2014110056.tif 000025